(57)【要約】【課題】挿入された挿入子の振れを防止して、微摺動摩耗を起こして端子間の電気的な抵抗値を上昇させることを防止できる雌端子及びコネクタを提供する。【解決手段】コネクタは雌端子３を備えている。雌端子３は電気接触部８を備えている。電気接触部８は挿入子５が侵入する筒状の筒部１１と電気的接続部１２とを備えている。電気的接続部１２はばね片１８と規制部材２５とを備えている。ばね片１８は帯状に形成されており一端部２１が筒部１１に連なり他端部２３が自由端であるとともに他端部２３に筒部１１の内側に近づけられるように湾曲された頂部２０を備えている。頂部２０即ちばね片１８の他端部２３は挿入子５の基端部側２４を筒部１１の内面に向かって付勢することにより基端部側支持部１６を構成する。規制部材２５は挿入子５が挿入方向Ｋに対して振動すると挿入子５の先端部側２６が当接することにより振動規制部１７を構成する。【選択図】図７
2005251741.tif 000002
【特許請求の範囲】
【請求項１】
電線が電気的に接続される電線接続部と、相手方の雄端子の挿入子が挿入される筒状の電気接触部とを備え、該電気接触部が、前記挿入子が侵入する筒部と、筒部内に設けられかつ前記挿入子と電気的に接続する電気的接続部と、を備えた雌端子において、
前記電気的接続部が、前記挿入子の基端部側を支持する基端部側支持部と、前記挿入子の先端部側が振動することを規制する振動規制部とを備えていることを特徴とする雌端子。
【請求項２】
前記基端部側支持部が、前記挿入子の前記基端部側を前記筒部の内面に向かって付勢することで該挿入子の基端部側を支持することを特徴とする請求項１記載の雌端子。
【請求項３】
前記電気的接続部は、一端部が、前記筒部に連なり、かつ他端部が、自由端であるばね片を備え、
前記ばね片は、前記一端部と前記他端部とのうち少なくとも一方が、前記挿入子を前記筒部の内面に向かって付勢することで、前記基端部側支持部と前記振動規制部とのうち少なくとも一方を構成することを特徴とする請求項１または請求項２記載の雌端子。
【請求項４】
前記振動規制部は、前記挿入子の前記先端部側に対応する位置で、かつ前記筒部内に挿入された挿入子と間隔をあけて設けられているとともに、前記挿入子の前記先端部側が、前記筒部の内面から一定以上離間することを規制する規制部材を備えたことを特徴とする請求項１乃至請求項３記載のうちいずれか一項に記載の雌端子。
【請求項５】
前記電気的接続部は、前記挿入子の前記基端部側に対応する位置に設けられ、かつ前記挿入子の基端部側が、前記筒部の内面から一定以上離間することを規制する第二規制部材を備えたことを特徴とする請求項４記載の雌端子。
【請求項６】
前記第二規制部材より前記挿入子側に、前記挿入子を前記ばね片と前記筒部の内壁との間に誘導する導入部を設けたことを特徴とする請求項５記載の雌端子。
【請求項７】
前記電気的接続部が、前記ばね片を一対備えたことを特徴とする請求項３記載の雌端子。
【請求項８】
前記一対のばね片が、互いの間に前記挿入子を挟むことを特徴とする請求項７記載の雌端子。
【請求項９】
前記一対のばね片のうち一方のばね片の前記一端部と他方のばね片の前記他端部との間に前記挿入子の前記基端部側を挟んで前記基端部側支持部を構成し、
前記一方のばね片の前記他端部と前記他方のばね片の前記一端部との間に前記挿入子の前記先端部側を挟むことで前記振動規制部を構成することを特徴とする請求項８記載の雌端子。
【請求項１０】
前記一対のばね片の前記一端部間に前記挿入子の前記基端部側を挟んで前記基端部側支持部を構成し、
前記一対のばね片の前記他端部間に前記挿入子の前記先端部側を挟むことで前記振動規制部を構成することを特徴とする請求項８記載の雌端子。
【請求項１１】
前記一対のばね片の前記一端部間に前記挿入子の前記基端部側を挟んで前記基端部側支持部を構成し、
前記一対のばね片のうち一方のばね片の前記他端部が、前記筒部の内側で丸められるように曲げられて、他方のばね片の前記他端部が、前記一方のばね片の前記他端部の外側に覆いかぶさるように前記筒部の内側で丸められるように曲げられており、
前記一方のばね片の前記他端部が、前記挿入子の前記先端部側を支持することで前記振動規制部を構成することを特徴とする請求項８記載の雌端子。
【請求項１２】
前記振動規制部は、前記一対のばね片の前記他端部に連なり、筒状に形成されて、内側に前記挿入子の前記先端部側が侵入する筒状部を備えたことを特徴とする請求項７記載の雌端子。
【請求項１３】
前記基端部側支持部と、前記振動規制部と、のうち少なくとも一方が、前記筒部の一部を前記筒部の内側に向かって湾曲されることで形成された湾曲片であることを特徴とする請求項１または請求項２記載の雌端子。
【請求項１４】
前記湾曲片が、
円盤状の中央部と、前記中央部の周りに互いに間隔をあけて設けられているとともに前記中央部と前記筒部の壁とを連結する複数の連結片と、を備えており、
前記中央部を前記壁より前記筒部の内側に位置付けるように、曲げられることで形成されていることを特徴とする請求項１３記載の雌端子。
【請求項１５】
請求項１乃至請求項１４のうちいずれか一項に記載の雌端子３を備えたことを特徴とするコネクタ。
【発明の詳細な説明】
【技術分野】
【０００１】
本発明は、雌端子及びコネクタに係り、例えば帯状の挿入子を挟持することにより導通を行う雌端子、かかる雌端子を有するコネクタに関する。
【背景技術】
【０００２】
従来より、図３１に示すような雌端子５０が知られている（例えば特許文献１参照）。
【０００３】
図３１に例示された雌端子５０は、電気接触部５１と、電気接触部５１に連なりかつ電線（図示しない）が取り付けられる電線接続部５２と、を備えている。電気接触部５１は、筒状の筒部５３と、筒部５３内に収容されるように曲げられ、かつ弾性変形自在な弾性接触片５４と、を備えている。筒部５３即ち電気接触部５１には、相手方の雄端子５５の帯状の雄タブ５６が侵入する。
【０００４】
雄端子５５は、帯状の雄タブ５６と、前記雄タブ５６に連なりかつ電線が取り付けられる電線接続部（図示しない）と、を備えている。
【０００５】
筒部５３に雄タブ５６が侵入すると、雄タブ５６が、弾性接触片５４に当接する。すると、弾性接触片５４は、雄タブ５６を筒部５３の内面に向かって付勢する。こうして、筒部５３の内面と弾性接触片５４との間に雄タブ５６を挟んで、雌端子５０と雄端子５５とが電気的に接続される。さらに、このとき、弾性接触片５４は、その頂部５７に雄タブ５６が接触している。
【特許文献１】特開２００４−２３５１３６号公報
【発明の開示】
【発明が解決しようとする課題】
【０００６】
前述した構成の雌端子５０は、弾性接触片５４の頂部５７に雄タブ５６が接触しているため、雄タブ５６即ち雄端子５５が、挿入方向に交差した方向に振動すると、該雄タブ５６が、前記頂部５７を中心として回転運動するように振動することがあった。すると、雄タブ５６と、雌端子５０との接触点が相対的に位置ずれを起こして所謂雄端子５５と雌端子５０とが、微摺動摩耗を起こすことがあった。この微摺動摩耗が起こると、前記端子５０，５５間の電気的な抵抗値を上昇させて望ましくない。
【０００７】
したがって、本発明の目的は、相手方の雄端子の挿入子の振動を防止して、微摺動摩耗を起こして相手方の雄端子との電気的な抵抗値を上昇させることを防止できる雌端子及びコネクタを提供することにある。
【課題を解決するための手段】
【０００８】
前記課題を解決し目的を達成するために、請求項１に記載の本発明の雌端子は、電線が電気的に接続される電線接続部と、相手方の雄端子の挿入子が挿入される筒状の電気接触部とを備え、該電気接触部が、前記挿入子が侵入する筒部と、筒部内に設けられかつ前記挿入子と電気的に接続する電気的接続部と、を備えた雌端子において、前記電気的接続部が、前記挿入子の基端部側を支持する基端部側支持部と、前記挿入子の先端部側が振動することを規制する振動規制部とを備えていることを特徴としている。
【０００９】
請求項２に記載の本発明の雌端子は、請求項１に記載の雌端子において、前記基端部側支持部が、前記挿入子の前記基端部側を前記筒部の内面に向かって付勢することで該挿入子の基端部側を支持することを特徴としている。
【００１０】
請求項３に記載の本発明の雌端子は、請求項１または請求項２に記載の雌端子において、前記電気的接続部は、一端部が、前記筒部に連なり、かつ他端部が、自由端であるばね片を備え、前記ばね片は、前記一端部と前記他端部とのうち少なくとも一方が、前記挿入子を前記筒部の内面に向かって付勢することで、前記基端部側支持部と前記振動規制部とのうち少なくとも一方を構成することを特徴としている。
【００１１】
請求項４に記載の本発明の雌端子は、請求項１乃至請求項３のうちいずれか一項に記載の雌端子において、前記振動規制部は、前記挿入子の前記先端部側に対応する位置で、かつ前記筒部内に挿入された挿入子と間隔をあけて設けられているとともに、前記挿入子の前記先端部側が、前記筒部の内面から一定以上離間することを規制する規制部材を備えたことを特徴としている。
【００１２】
請求項５に記載の本発明の雌端子は、請求項４に記載の雌端子において、前記電気的接続部は、前記挿入子の前記基端部側に対応する位置に設けられ、かつ前記挿入子の基端部側が、前記筒部の内面から一定以上離間することを規制する第二規制部材を備えたことを特徴としている。
【００１３】
請求項６に記載の本発明の雌端子は、請求項５に記載の雌端子において、前記第二規制部材より前記挿入子側に、前記挿入子を前記ばね片と前記筒部の内壁との間に誘導する導入部を設けたことを特徴としている。
【００１４】
請求項７に記載の本発明の雌端子は、請求項３に記載の雌端子において、前記電気的接続部が、前記ばね片を一対備えたことを特徴としている。
【００１５】
請求項８に記載の本発明のコネクタは、請求項７に記載の雌端子において、前記一対のばね片が、互いの間に前記挿入子を挟むことを特徴としている。
【００１６】
請求項９に記載の本発明のコネクタは、請求項８に記載の雌端子において、前記一対のばね片のうち一方のばね片の前記一端部と他方のばね片の前記他端部との間に前記挿入子の前記基端部側を挟んで前記基端部側支持部を構成し、前記一方のばね片の前記他端部と前記他方のばね片の前記一端部との間に前記挿入子の前記先端部側を挟むことで前記振動規制部を構成することを特徴としている。
【００１７】
請求項１０に記載の本発明のコネクタは、請求項８に記載の雌端子において、前記一対のばね片の前記一端部間に前記挿入子の前記基端部側を挟んで前記基端部側支持部を構成し、前記一対のばね片の前記他端部間に前記挿入子の前記先端部側を挟むことで前記振動規制部を構成することを特徴としている。
【００１８】
請求項１１に記載の本発明のコネクタは、請求項８に記載の雌端子において、前記一対のばね片の前記一端部間に前記挿入子の前記基端部側を挟んで前記基端部側支持部を構成し、前記一対のばね片のうち一方のばね片の前記他端部が、前記筒部の内側で丸められるように曲げられて、他方のばね片の前記他端部が、前記一方のばね片の前記他端部の外側に覆いかぶさるように前記筒部の内側で丸められるように曲げられており、前記一方のばね片の前記他端部が、前記挿入子の前記先端部側を支持することで前記振動規制部を構成することを特徴としている。
【００１９】
請求項１２に記載の本発明のコネクタは、請求項７に記載の雌端子において、前記振動規制部は、前記一対のばね片の前記他端部に連なり、筒状に形成されて、内側に前記挿入子の前記先端部側が侵入する筒状部を備えたことを特徴としている。
【００２０】
請求項１３に記載の本発明の雌端子は、請求項１または請求項２に記載の雌端子において、前記基端部側支持部と、前記振動規制部と、のうち少なくとも一方が、前記筒部の一部を前記筒部の内側に向かって湾曲されることで形成された湾曲片であることを特徴としている。
【００２１】
請求項１４に記載の本発明のコネクタは、請求項１３に記載の雌端子において、前記湾曲片が、円盤状の中央部と、前記中央部の周りに互いに間隔をあけて設けられているとともに前記中央部と前記筒部の壁とを連結する複数の連結片と、を備えており、前記中央部を前記壁より前記筒部の内側に位置付けるように、曲げられることで形成されていることを特徴としている。
【００２２】
請求項１５に記載の本発明のコネクタは、請求項１乃至請求項１４のうちいずれか一項に記載の雌端子を備えたことを特徴としている。
【００２３】
請求項１に記載した本発明の雌端子によれば、筒部内に挿入された挿入子は、基端部側を基端部側支持部により支持され、先端部側を振動規制部により振動することを規制されるため、挿入子の基端部側と先端部側との二箇所を支持することができる。このため、筒部内に収容された挿入子が接点を中心に回転することを規制できる。
【００２４】
請求項２に記載した本発明の雌端子によれば、筒部内に収容された挿入子の基端部側を筒部の内面に向かって付勢されるので、確実に挿入子の基端部側を支持することができる。つまり、挿入子の基端部側と先端部側との二箇所を支持することができる。このため、筒部内に収容された挿入子が接点を中心に回転することを規制できる。
【００２５】
請求項３に記載した本発明の雌端子によれば、電気的接続部の基端部側支持部と振動規制部とのうち少なくとも一方を構成するばね片の一端部と他端部とのうち少なくとも一方が、挿入子を筒部の内面に向かって付勢するので、確実に挿入子の基端部側と先端部側との２箇所を支持することができる。このため、筒部内に収容された挿入子が接点を中心に回転することを規制できる。
【００２６】
請求項４に記載した本発明の雌端子によれば、規制部材が、挿入子の先端部側が筒部の内面から一定以上離間することを規制するので、確実に挿入子の基端部側と先端部側との二箇所を支持することができる。このため、筒部内に収容された挿入子が接点を中心に回転することを規制できる。
【００２７】
請求項５に記載した本発明の雌端子によれば、第二規制部材が、挿入子の基端部側が、筒部の内面から一定以上離間することを規制するので、確実に挿入子の基端部側と先端部側との二箇所を支持することができる。このため、筒部内に収容された挿入子が接点を中心に回転することを規制できる。
【００２８】
請求項６に記載した本発明の雌端子によれば、導入部が、第二規制部材より挿入子側に、挿入子をばね片と筒部の内壁との間に誘導するので、確実に筒部に侵入する挿入子をばね片と筒部の内壁との間に確実に位置付けることができる。
【００２９】
請求項７に記載した本発明の雌端子によれば、電気的接続部がばね片を一対備えているので、ばね片が挿入子を筒部の内側に向かって付勢（弾性変形）することで、確実に挿入子の基端部側及び先端部側の二箇所を支持することができる。このため、筒部内に収容された挿入子が接点を中心に回転することを規制できる。
【００３０】
請求項８に記載した本発明の雌端子によれば、一対のばね片が、互いの間に挿入子を挟むので、ばね片間が挿入子を筒部の内側に向かって付勢（弾性変形）することで、確実に挿入子の基端部側及び先端部側の二箇所を固定することができる。このため、筒部内に収容された挿入子が接点を中心に回転することを規制できる。
【００３１】
請求項９に記載した本発明の雌端子によれば、一対のばね片の一方のばね片の一端部と他方のばね片の他端部との間に挿入子の基端部側を挟み、一方のばね片の他端部と他方のばね片の一端部との間に挿入子の先端部側を挟むので、ばね片間が挿入子を筒部の内側に向かって付勢（弾性変形）することで、確実に挿入子の基端部側及び先端部側の二箇所を支持することができる。このため、筒部内に収容された挿入子が接点を中心に回転することを規制できる。
【００３２】
請求項１０に記載した本発明の雌端子によれば、一対のばね片の一端部間に挿入子の基端部側を挟み、他端部間に挿入子の先端部側を挟むので、ばね片間が挿入子を筒部の内側に向かって付勢（弾性変形）することで、挿入子の基端部側及び先端部側の二箇所を支持することができる。このため、筒部内に収容された挿入子が接点を中心に回転することを規制できる。
【００３３】
請求項１１に記載した本発明の雌端子によれば、一対のばね片の一端部間に挿入子の基端部側を挟み、一対のばね片のうち一方のばね片の他端部が、筒部の内側に向かって曲げられて、他方のばね片の他端部が、一方のばね片の他端部の外側に覆いかぶさるように筒部の内側に向かって曲げられており、一方のばね片の他端部が挿入子の先端部側が振動すること規制するので、挿入子の先端部側が一方のばね片の他端部を押すと、一方のばね片と連動して他方のばね片が押される。このため、ばね片の一端部間が挿入子の基端部側を筒部の内側に向かって付勢（弾性変形）し、一方のばね片他端部が挿入子の先端部側を支持することで、挿入子の基端部側及び先端部側の二箇所を支持することができる。このため、筒部内に収容された挿入子が接点を中心に回転することを規制できる。
【００３４】
請求項１２に記載した本発明の雌端子によれば、筒状に形成された筒状部の内側に挿入子の先端部側が侵入するので、挿入子の基端部側を筒部の内面に向かって付勢し、先端部側を筒状部に振動することを規制することができる。つまり、確実に挿入子の基端部側及び先端部側の二箇所を支持することができる。このため、筒部内に収容された挿入子が接点を中心に回転することを規制できる。
【００３５】
請求項１３に記載した本発明の雌端子によれば、基端部側支持部と振動規制部とのうち少なくとも一方が、筒部の一部を筒部の内側に向かって湾曲されることで形成された湾曲片であるので、筒部の先端などの縁に湾曲片を連なる必要がなくなる。
【００３６】
請求項１４に記載した本発明の雌端子によれば、湾曲片が、円盤状の中央部と、中央部の周りに互いに間隔をあけて設けられているとともに中央部と筒部の壁とを連結する複数の連結片とを備えているので、湾曲片を筒部の壁に確実に設けることができる。このため、筒部の先端などの縁に湾曲片を連なる必要が確実になくなる。
【００３７】
請求項１５に記載した本発明のコネクタによれば、請求項１乃至請求項１４のうちいずれか一項に記載の雌端子を備えているので、基端部側を基端部側支持部により支持され、先端部側を振動規制部により振動することを規制されるため、筒部内に収容された挿入子が挿入方向に交差した方向に振動しても、挿入子の基端部側と先端部側とを支持することができる。このため、本発明の雌端子は、基端部側支持部及び振動規制部により振動することを規制された挿入子が挿入方向に交差した方向に振動しても、挿入子と雌端子の電気的接続部との電気的な接続を保つことができる。
【発明の効果】
【００３８】
以上説明したように、請求項１に記載の本発明は、筒部内に挿入された挿入子は、基端部側を基端部側支持部により支持され、先端部側を振動規制部により振動することを規制されるため、挿入子の基端部側と先端部側との二箇所を支持することができる。このため、筒部内に収容された挿入子が接点を中心に回転することを規制できるので、本発明の雌端子は、相手方の雄端子の挿入子の振動を防止して、微摺動摩耗を起こして相手方の雄端子との電気的な抵抗値を上昇させることを防止できる。
【００３９】
請求項２に記載の本発明は、筒部内に収容された挿入子の基端部側を筒部の内面に向かって付勢されるので、確実に挿入子の基端部側を支持することができる。つまり、挿入子の基端部側と先端部側との二箇所を支持することができる。このため、筒部内に収容された挿入子が接点を中心に回転することを規制できるので、本発明の雌端子は、相手方の雄端子の挿入子の振動を防止して、微摺動摩耗を起こして相手方の雄端子との電気的な抵抗値を上昇させることを防止できる。
【００４０】
請求項３に記載の本発明は、電気的接続部の基端部側支持部と振動規制部とのうち少なくとも一方を構成するばね片の一端部と他端部とのうち少なくとも一方が、挿入子を筒部の内面に向かって付勢するので、確実に挿入子の基端部側と先端部側とのの２箇所を支持することができる。このため、筒部内に収容された挿入子が接点を中心に回転することを規制できるので、本発明の雌端子は、相手方の雄端子の挿入子の振動を防止して、微摺動摩耗を起こして相手方の雄端子との電気的な抵抗値を上昇させることを防止できる。
【００４１】
請求項４に記載した本発明は、規制部材が、挿入子の先端部側が筒部の内面から一定以上離間することを規制するので、確実に挿入子の基端部側と先端部側との二箇所を支持することができる。このため、筒部内に収容された挿入子が接点を中心に回転することを規制できるので、本発明の雌端子は、相手方の雄端子の挿入子の振動を防止して、微摺動摩耗を起こして相手方の雄端子との電気的な抵抗値を上昇させることを防止できる。
【００４２】
請求項５に記載した本発明は、第二規制部材が、挿入子の基端部側が、筒部の内面から一定以上離間することを規制するので、確実に挿入子の基端部側と先端部側との二箇所を支持することができる。このため、筒部内に収容された挿入子が接点を中心に回転することを規制できるので、本発明の雌端子は、相手方の雄端子の挿入子の振動を防止して、微摺動摩耗を起こして相手方の雄端子との電気的な抵抗値を上昇させることを防止できる。
【００４３】
請求項６に記載した本発明は、導入部が、第二規制部材より挿入子側に、挿入子をばね片と筒部の内壁との間に誘導するので、筒部に侵入する挿入子をばね片と筒部の内壁との間に確実に位置付けることができる。
【００４４】
請求項７に記載した本発明は、電気的接続部がばね片を一対備えているので、ばね片が挿入子を筒部の内側に向かって付勢（弾性変形）することで、確実に挿入子の基端部側及び先端部側の二箇所を支持することができる。このため、筒部内に収容された挿入子が接点を中心に回転することを規制できるので、本発明の雌端子は、相手方の雄端子の挿入子の振動を防止して、微摺動摩耗を起こして相手方の雄端子との電気的な抵抗値を上昇させることを防止できる。
【００４５】
請求項８に記載した本発明は、一対のばね片が、互いの間に挿入子を挟むので、ばね片間が挿入子を筒部の内側に向かって付勢（弾性変形）することで、確実に挿入子の基端部側及び先端部側の二箇所を支持することができる。このため、筒部内に収容された挿入子が接点を中心に回転することを規制できるので、本発明の雌端子は、相手方の雄端子の挿入子の振動を防止して、微摺動摩耗を起こして相手方の雄端子との電気的な抵抗値を上昇させることを防止できる。
【００４６】
請求項９に記載の本発明は、一対のばね片の一方のばね片の一端部と他方のばね片の他端部との間に挿入子の基端部側を挟み、一方のばね片の他端部と他方のばね片の一端部との間に挿入子の先端部側を挟むので、ばね片間が挿入子を筒部の内側に向かって付勢（弾性変形）することで、確実に挿入子の基端部側及び先端部側の二箇所を支持することができる。このため、筒部内に収容された挿入子が接点を中心に回転することを規制できるので、本発明の雌端子は、相手方の雄端子の挿入子の振動を防止して、微摺動摩耗を起こして相手方の雄端子との電気的な抵抗値を上昇させることを防止できる。
【００４７】
請求項１０に記載の本発明は、一対のばね片の一端部間に挿入子の基端部側を挟み、他端部間に挿入子の先端部側を挟むので、ばね片間が挿入子を筒部の内側に向かって付勢（弾性変形）することで、挿入子の基端部側及び先端部側の二箇所を支持することができる。このため、筒部内に収容された挿入子が接点を中心に回転することを規制できるので、本発明の雌端子は、相手方の雄端子の挿入子の振動を防止して、微摺動摩耗を起こして相手方の雄端子との電気的な抵抗値を上昇させることを防止できる。
【００４８】
請求項１１に記載した本発明は、一対のばね片の一端部間に挿入子の基端部側を挟み、一対のばね片のうち一方のばね片の他端部が、筒部の内側に向かって曲げられて、他方のばね片の他端部が、一方のばね片の他端部の外側に覆いかぶさるように筒部の内側に向かって曲げられており、一方のばね片の他端部が挿入子の先端部側が振動すること規制するので、挿入子の先端部側が一方のばね片の他端部を押すと、一方のばね片と連動して他方のばね片が押される。このため、ばね片の一端部間が挿入子の基端部側を筒部の内側に向かって付勢（弾性変形）し、一方のばね片の他端部が挿入子の先端部側を支持することで、挿入子の基端部側及び先端部側の二箇所を支持することができる。このため、筒部内に収容された挿入子が接点を中心に回転することを規制できるので、本発明の雌端子は、相手方の雄端子の挿入子の振動を防止して、微摺動摩耗を起こして相手方の雄端子との電気的な抵抗値を上昇させることを防止できる。
【００４９】
請求項１２に記載した本発明は、筒状に形成された筒状部の内側に挿入子の先端部側が侵入するので、挿入子の基端部側を筒部の内面に向かって付勢し、先端部側を筒状部に振動することを規制することができる。つまり、確実に挿入子の基端部側及び先端部側の二箇所を支持することができる。このため、筒部内に収容された挿入子が接点を中心に回転することを規制できるので、本発明の雌端子は、相手方の雄端子の挿入子の振動を防止して、微摺動摩耗を起こして相手方の雄端子との電気的な抵抗値を上昇させることを防止できる。
【００５０】
請求項１３に記載した本発明は、基端部側支持部と、振動規制部とのうち少なくとも一方が、筒部の一部を筒部の内側に向かって湾曲されることで形成された湾曲片であるので、筒部内に収容された挿入子が挿入方向に交差した方向に振動しても、挿入子の基端部側と先端部側とのうち一方を筒部の内面に向かって付勢し、他方を支持することができる。このため、基端部側と先端部側とのうち一方を筒部の内面に向かって付勢され、他方を支持された挿入子が挿入方向に交差した方向に振動しても、挿入子と雌端子の電気的接続部との電気的な接続を保つことができるので、本発明の雌端子は、相手方の雄端子の挿入子の振動を防止して、微摺動摩耗を起こして相手方の雄端子との電気的な抵抗値を上昇させることを防止できる。
【００５１】
また、筒部の先端などの縁に湾曲片を連なる必要がなくなるので、折り曲げられる前の状態で筒部から外方向に延びる部分がなくなる。したがって、雌端子の材料の歩留りを向上させることができる。即ち、雌端子を構成する板金からより多くの雌端子を得ることができるとともに、板金の雌端子以外となる部分（無駄となる部分）を減少させることができる。
【００５２】
請求項１４に記載した本発明は、湾曲片が、円盤状の中央部と、中央部の周りに互いに間隔を空けて設けられているとともに中央部と筒部の壁とを連結する複数の連結片とを備えているので、筒部内に収容された挿入子が挿入方向に交差した方向に振動しても、挿入子の基端部側を筒部の内面に向かって付勢し、先端部側を支持することができる。このため、基端部側を基端部側支持部に筒部の内面に向かって付勢され、先端部側を振動規制部により振動することを規制された挿入子が挿入方向に交差した方向に振動しても、挿入子と雌端子の電気的接続部との電気的な接続を保つことができるので、本発明の雌端子は、相手方の雄端子の挿入子の振動を防止して、微摺動摩耗を起こして相手方の雄端子との電気的な抵抗値を上昇させることを防止できる。
【００５３】
また、湾曲片を筒部の壁に確実に設けることができるため、筒部の先端などの縁に湾曲片を連なる必要が確実になくなる。したがって、雌端子の材料の歩留りを向上させることができる。
【００５４】
請求項１５に記載した本発明は、請求項１乃至請求項１４のうちいずれか一項に記載の雌端子を備えているので、筒部内に挿入された挿入子は、基端部側を基端部側支持部により支持され、先端部側を振動規制部により振動することを規制されるため、筒部内に収容された挿入子が挿入方向に交差した方向に振動しても、挿入子の基端部側と先端部側とを支持することができる。このため、基端部側支持部及び振動規制部により支持された挿入子が挿入方向に交差した方向に振動しても、挿入子と雌端子の電気的接続部との電気的な接続を保つことができるので、本発明の雌端子は、相手方の雄端子の挿入子の振動を防止して、微摺動摩耗を起こして相手方の雄端子との電気的な抵抗値を上昇させることを防止できる。
【発明を実施するための最良の形態】
【００５５】
以下、本発明の第１の実施形態にかかるコネクタ及び雌端子を図１乃至図７を参照して説明する。コネクタ１は、図１に示すように、コネクタハウジング２と、雌端子３と、を備えている。コネクタハウジング２は、絶縁性の合成樹脂で構成され、箱状に形成されている。コネクタハウジング２は、雌端子３を収容する端子収容室を複数備えている。コネクタハウジング２即ちコネクタ１は、図示しない相手側のコネクタのコネクタハウジングと嵌合する。
【００５６】
雌端子３は、コネクタハウジング２内に収容されて、相手側のコネクタのコネクタハウジング内に収容された相手方の雄端子４の挿入子５と、電線６とを、相互に電気的に接続する。なお、前記相手方の雄端子４として、ブスバーなどの挿入子やリレー及びヒューズなどの電気部品の接続端子や所謂雄型の端子金具などがある。
【００５７】
相手方のコネクタは、図示しない相手方のコネクタハウジングと、前述した相手方の雄端子４と、を備えている。相手方のコネクタハウジングは、雄端子４を収容して、前述したコネクタハウジング２と嵌合する。前記相手方の雄端子４は、図７（ａ），（ｂ），（ｃ）に示すように、雌端子３の後述する電気接触部８内に侵入可能な挿入子５を備えている。挿入子５は、ブレード状に形成されている。相手方の雄端子４は、挿入子５を含めて導電性を有する金属などから構成されている。
【００５８】
雌端子３は、導電性の板金を打ち抜いて折り曲げられることで得られる。雌端子３は、図１に示すように、電線６が電気的に接続される電線接続部７と、前記相手方の雄端子４の挿入子５が電気的に接続される電気接触部８と、を備えている。
【００５９】
電線接続部７は、底壁９ａと、この底壁９ａの幅方向の縁に連なる複数のかしめ片１０と、を備えている。底壁９ａは、平板状に形成されている。底壁９ａは、平面形状が矩形状に形成されている。底壁９ａは、その上に芯線が露出した状態の電線６の端部が載置される。かしめ片１０は、底壁９ａの幅方向の両縁それぞれに連なっている。
【００６０】
電線接続部７は、底壁９ａ上に芯線が露出した状態の電線６の端部を載置した後、この電線６の端部を底壁９ａに向かって押しつける方向にかしめ片１０を曲げて、即ちかしめ片１０で電線６をかしめて、図１に示すように、電線６と電気的に接続される。
【００６１】
電気接触部８は、図２乃至図５に示すように、前述した電線接続部７と連なり、挿入子５が侵入する筒状の筒部１１と、筒部１１に侵入した挿入子５と電気的に接続する電気的接続部１２とを備えている。筒部１１は、平坦な底壁９ｂと、この底壁９ｂに間隔を存して相対する天井壁１３と、前記底壁９ｂと天井壁１３とを互いに連ねる一対の側壁１４と、を備えている。電気接触部８は、各壁９ｂ，１３，１４を備えた中空角柱状に形成されている。なお、底壁９ｂは、底壁９ａと連続して連なっている。即ち底壁９ａ，９ｂは、一体の板である。
【００６２】
底壁９ｂは、その平面形状が矩形状に形成されている。底壁９ｂの幅は、前記電線接続部７の底壁９ａの幅と略等しく形成されている。天井壁１３は、接触壁１５を備えている。天井壁１３は、その平面形状が底壁９ｂと略等しく形成されている。天井壁１３は、平面形状が矩形状に形成されている。天井壁１３は、壁９ｂと平行に配されている。接触壁１５は、天井壁１３から底壁９ｂに向かって突出し、かつ中央が天井壁１３並びに底壁９ｂと平行になるように折り曲げられて形成されている。
【００６３】
それぞれの側壁１４は、前記底壁９ｂの幅方向の両縁と、天井壁１３の幅方向の両縁と、に連なっている。側壁１４は、互いに平行に配されている。
【００６４】
このように筒状に形成された筒部１１は、その内側に、挿入子５を挿入する。即ち、挿入子５を、底壁９ｂと接触壁１５との間でかつ一対の側壁１４の相互間に位置させる。筒部１１は、その内側に、挿入子５を前記底壁９ｂ及び天井壁１３の長手方向に沿って出し入れされる。
【００６５】
電気的接続部１２は、ばね片１８と、規制部材２５と、を備えている。
【００６６】
ばね片１８は、図２及び図５に示すように、帯板状に形成されており、一端部２１が図３及び図４に示すように、一方の側壁１４から立設するとともに底壁９ｂ及び天井壁１３に平行に配された板状の支持板２２に連なっている。このため、ばね片１８の一端部２１から離れた他端部２３は、自由端となっているとともに、前記一端部２１が筒部１１に連なっている。
【００６７】
また、ばね片１８は、一端部２１が筒部１１の前述した挿入子５の挿入方向（以下、矢印Ｋで示す）の奥側即ち挿入子５から離れた側に配されている。ばね片１８は、他端部２３が一端部２１より前述した矢印Ｋの手前側即ち挿入子５寄りに配されている。さらに、ばね片１８には、導入部１９と、頂部２０と、が一体に形成されている。
【００６８】
導入部１９は、平面形状が矩形状に形成されている。導入部１９は、ばね片１８の他端部２３に設けられており、他端部２３より一端部２１に近づくにつれて徐々に天井壁１３に近づく方向に傾斜している。即ち、矢印Ｋに沿って向かうにしたがって、徐々に天井壁１３に近づく方向に傾斜している。そのため、導入部１９は、図７（ａ），（ｂ）に示すように、挿入子５をばね片１８と筒部１１の接触壁１５との間に誘導する。
【００６９】
頂部２０は、ばね片１８の導入部１９と一端部２１との間でかつ前述した他端部２３（寄り）に設けられている。頂部２０は、ばね片１８が天井壁１３に近付けられるように湾曲されて、形成されている。頂部２０は、ばね片１８の他端部２３のうち最も天井壁１３に近い位置である。頂部２０は、その表面上に筒部１１内に侵入した挿入子５を載置する。
【００７０】
前述したばね片１８は、頂部２０が底壁９ｂに近づく方向に変位するように、弾性変形自在になっている。そのため、ばね片１８の頂部２０即ち他端部２３は、接触壁１５との間に位置付けられた挿入子５の基端部側２４を接触壁１５に向かって付勢する（支持する）。つまり、ばね片１８の頂部２０即ち他端部２３は、挿入子５の基端部側２４を接触壁１５に向かって付勢することで、挿入子５の基端部側２４を支持する基端部側支持部１６を構成する。このように、基端部側支持部１６は、ばね片１８の他端部２３により、挿入子５を筒部１１の内面に向かって付勢することで、該挿入子５の基端部側２４を支持する。
【００７１】
規制部材２５は、平面形状が矩形状に形成されている。規制部材２５は、他方の側壁１４に連なり、底壁９ｂに平行に配されている。規制部材２５は、ばね片１８の他端部２３より矢印Ｋの奥側即ち筒部１１に挿入前の挿入子５から離れた側に設けられている。規制部材２５は、筒部１１内に挿入された挿入子５の先端部側２６に対応する位置に設けられている。規制部材２５は、筒部１１内に挿入された挿入子５よりばね片１８の一端部２１寄りに位置付けられて、該挿入子５と間隔をあける。
【００７２】
前述した構成の規制部材２５には、挿入された挿入子５がばね片１８の頂部２０を中心に回転した際に、挿入子５の先端部側２６が当接する。このため、規制部材２５は、挿入子５の先端部側２６が、筒部１１の内面から一定以上離間することを規制する（支える）。つまり、規制部材２５は、挿入子５の先端部側２６が、筒部１１の内面から一定以上離間することを規制することで、挿入子５の先端部側２６が振動することを規制する振動規制部１７を構成する。このように、振動規制部１７は、挿入子５を筒部１１の内面から一定以上離間することを規制することで、該挿入子５の先端部側２６が振動することを規制する。
【００７３】
雌端子３は、電線接続部７と、電気接触部８と、の外形を形成するように打ち抜かれた図６に示す板金２７が折り曲げられることによって製造される。
【００７４】
板金２７を、図６中の一点鎖線で示す部分を切断するとともに、図６中の点線で示す折り目線で折り曲げて、接触壁１５と、規制部材２５と、ばね片１８と、支持板２２と、を形成する。そして、ばね片１８を折り曲げて、導入部１９及び頂部２０を形成する。
【００７５】
前述した雌端子３の電線接続部７に電線６を取付けた後、前記雌端子３をコネクタハウジング２の端子収容室内に挿入して、コネクタ１を組み立てる。また、雄端子４に電線を取付けた後、前記雄端子４を相手方のコネクタハウジングの端子収容室内に挿入して、相手方のコネクタを組み立てる。そして、コネクタ１と相手方のコネクタとを嵌合して、雄端子４の挿入子５を雌端子３の筒部１１内に挿入する。
【００７６】
次に、挿入子５を雌端子３に挿入して導通を図る工程について説明する。コネクタ１と相手方のコネクタとを嵌合する際には、図７（ａ）に示すように、矢印Ｋに沿って、挿入子５と筒部１１とが互いに近く。すると、挿入子５が導入部１９と接触壁１５の挿入子５側の傾斜面に当接する。そして、挿入子５が矢印Ｋに沿って移動するのにしたがって、該挿入子５が導入部１９と傾斜面とで案内されて、ばね片１８の頂部２０と接触壁１５との間に導かれる。
【００７７】
そして、挿入子５が矢印Ｋに沿って移動するのにしたがって、該挿入子５が該ばね片１８の弾性復元力に抗して、頂部２０と接触壁１５との間を広げるようにばね片１８を弾性変形させる。そして、図７（ｂ）に示すように、挿入子５が、ばね片１８の頂部２０と接触壁１５との間に位置付けられる。さらに、図７（ｃ）に示すように、挿入子５を、矢印Ｋに沿って、筒部１１の奥に侵入させて、挿入子５の先端部側２６が規制部材２５と相対し、基端部側２４がばね片１８の頂部２０と、接触壁１５と、の間に位置付けられる。そして、前述したコネクタ１と相手方のコネクタとの嵌合が完了する。
【００７８】
本実施形態によれば、ばね片１８の頂部２０即ち他端部２３は、挿入子５の基端部側２４を接触壁１５に向かって付勢することで、基端部側支持部１６を構成する。このように、基端部側支持部１６は、ばね片１８の他端部２３により、挿入子５を筒部１１の内面に向かって付勢することで、該挿入子５の基端部側２４を支持する。
【００７９】
また、規制部材２５は、挿入子５の先端部側２６が、筒部１１の内面から一定以上離間することを規制することで、挿入子５の先端部側２６が振動することを規制する振動規制部１７を構成する。このように、振動規制部１７は、挿入子５を筒部１１の内面から一定以上離間することを規制することで、該挿入子５の先端部側２６が振動することを規制する。
【００８０】
また、筒部１１内に挿入された挿入子５は、基端部側２４を基端部側支持部１６により支持され、先端部側２６を振動規制部１７により振動することを規制されるため、挿入子５の基端部側２４と先端部側２６との二箇所を支持することができる。このため、筒部１１内に収容された挿入子５が接点を中心に回転することを規制できるので、本発明の雌端子３は、相手方の雄端子４の挿入子５の振動を防止して、微摺動摩耗を起こして相手方の雄端子４との電気的な抵抗値を上昇させることを防止できる。
【００８１】
また、筒部１１内に収容された挿入子５の基端部側２４を筒部１１の内面に向かって付勢されるので、確実に挿入子５の基端部側２４を支持することができる。つまり、挿入子５の基端部側２４と先端部側２６との二箇所を支持することができる。このため、筒部１１内に収容された挿入子５が接点を中心に回転することを規制できるので、本発明の雌端子３は、相手方の雄端子４の挿入子５の振動を防止して、微摺動摩耗を起こして相手方の雄端子４との電気的な抵抗値を上昇させることを防止できる。
【００８２】
また、電気的接続部１２の基端部側支持部１６と振動規制部１７とのうち少なくとも一方を構成するばね片１６の一端部２１と他端部２３とのうち少なくとも一方が、挿入子５を筒部１１の内面に向かって付勢するので、確実に挿入子５の基端部側２４と先端部側２６との２箇所を支持することができる。このため、筒部１１内に収容された挿入子５が接点を中心に回転することを規制できるので、本発明の雌端子３は、相手方の雄端子４の挿入子５の振動を防止して、微摺動摩耗を起こして相手方の雄端子４との電気的な抵抗値を上昇させることを防止できる。
【００８３】
また、規制部材２５が、挿入子５の先端部側２６が筒部１１の内面から一定以上離間することを規制するので、確実に挿入子５の基端部側２４と先端部側２６との二箇所を支持することができる。このため、筒部内１１に収容された挿入子５が接点を中心に回転することを規制できるので、本発明の雌端子３は、相手方の雄端子４の挿入子５の振動を防止して、微摺動摩耗を起こして相手方の雄端子４との電気的な抵抗値を上昇させることを防止できる。
【００８４】
次に、本発明の第２の実施形態に係る雌端子を、図８乃至図１３を参照して説明する。なお、前述した第１の実施形態と同一構成部分には、同一符号を付して説明を省略する。
【００８５】
本実施形態では、電気的接続部１２は、ばね片１８及び規制部材２５に加え、第二規制部材２８を備えている。
【００８６】
ばね片１８の構成は、前述した第１の実施形態のばね片１８と略同等であり、頂部２０を備えている。頂部２０は、ばね片１８の他端部２３（寄り）に設けられている。頂部２０は、ばね片１８が天井壁１３に近づけられるように湾曲されて、形成されている。頂部２０は、ばね片１８の他端部２３のうち最も天井壁１３に近い位置である。頂部２０は、その表面上に筒部１１内に侵入した挿入子５を載置する。
【００８７】
前記ばね片１８は、頂部２０が底壁９ｂに近づく方向に変位するように、弾性変形自在になっている。そのため、ばね片１８の頂部２０即ち他端部２３は、接触壁１５との間に位置付けられた挿入子５の基端部側２４を天井壁１３に向かって付勢する（支持する）。
【００８８】
規制部材２５は、平面形状が矩形状に形成されている。規制部材２５は、他方の側壁１４に連なり、底壁９ｂに平行に配されている。規制部材２５は、ばね片１８の一端部２１の天井壁１３側に重ねられている。規制部材２５は、ばね片１８の他端部２３より矢印Ｋの奥側即ち筒部１１に挿入された挿入子５の先端部側２６に対応した位置に設けられている。規制部材２５は、筒部１１内に挿入された挿入子５よりばね片１８の一端部２１寄りに位置付けられて、該挿入子５と間隔をあける。
【００８９】
前述した構成の規制部材２５には、挿入された挿入子５がばね片１８の頂部２０を中心に回転した際に、挿入子５の先端部側２６が当接する。このため、規制部材２５は、挿入子５の先端部側２６が、筒部１１の内面から一定以上離間することを規制する（支える）。つまり、規制部材２５は、挿入子５の先端部側２６が、筒部１１の内面から一定以上離間することを規制することで、挿入子５の先端部側２６が振動することを規制する振動規制部１７を構成する。このように、振動規制部１７は、挿入子５を筒部１１の内面から一定以上離間することを規制することで、該挿入子５の先端部側２６が振動することを規制する。
【００９０】
第二規制部材２８は、図８乃至図１１に示すように、規制板２９と、導入部１９と、を備えている。規制板２９は、平面形状が矩形状に形成されている。規制板２９は、他方の側壁１４に連なり、底壁９ｂと平行に伸びている。規制板２９は、ばね片１８の他端部２３より矢印Ｋの手前側即ち筒部１１に挿入前の挿入子５寄りに設けられている。規制版２９は、筒部１１内に挿入された挿入子５の基端部側２４に対応する位置に設けられており、該挿入子５と間隔をあける。
【００９１】
前述した構成の規制板２９には、挿入された挿入子５がばね片１８の頂部２０を中心に回転した際に、挿入子５の基端部側２４が当接する。このため、規制板２９は、挿入子５の基端部側２４が、筒部１１の内面から一定以上離間することを規制する（支える）。
【００９２】
導入部１９は、平面形状が矩形状に形成されている。導入部１９は、規制板２９の規制部材２５から離れた端部と連結している。導入部１９は、規制板２９に近づくにつれて徐々に天井壁１３に近づく方向に傾斜している。即ち、導入部１９は、矢印Ｋに沿って向かうにしたがって、徐々に天井壁１３に近づく方向に傾斜している。そのため、導入部１９は、図１３（ａ），（ｂ）に示すように、挿入子５をばね片１８と筒部１１の接触壁１５との間に誘導する。
【００９３】
挿入子５の基端部側２４を天井壁１３に向かって付勢するばね片１８の頂部２０即ち他端部２３とともに、挿入子５の基端部側２４が筒部１１の内面から一定以上離間することを規制する前述した構成の第二規制部材２８は、挿入子５の基端部側２４を支持する基端部側支持部１６を構成する。即ち、本実施形態では、ばね片１８の頂部２０即ち他端部２３と第二規制部材２８が、基端部側支持部１６を構成する。このように、基端部側支持部１６は、ばね片の他端部２３が挿入子５を筒部１１の内面に向かって付勢するとともに、第二規制部材２８の規制板２９が挿入子５を筒部１１の内面から一定以上離間することを規制することで、該挿入子５の基端部側２４を支持する。
【００９４】
雌端子３は、電線接続部７と、電気接触部８と、の外形を形成するように打ち抜かれた図１２に示す板金２７が折り曲げられることによって製造される。
【００９５】
板金２７を、図１２中の一点鎖線で示す部分を切断するとともに、図１２中の点線で示す折り目線で折り曲げて、接触壁１５と、第二規制部材２８と、規制部材２５と、ばね片１８と、を形成する。そして、ばね片１８を折り曲げて、頂部２０を形成するとともに、第二規制部材２８を折り曲げて、規制板２９及び導入部１９を形成する。
【００９６】
次に、挿入子５を雌端子３に挿入して導通を図る工程について説明する。コネクタ１と相手方のコネクタとを嵌合する際には、図１３（ａ）に示すように、矢印Ｋに沿って、挿入子５と筒部１１とが互いに近づく。すると、挿入子５が導入部１９と接触壁１５の挿入子５側の傾斜面に当接する。そして、挿入子５が矢印Ｋに沿って移動するのにしたがって、該挿入子５が導入部１９と傾斜面とで案内されて、ばね片１８の頂部２０と接触壁１５との間に導かれる。
【００９７】
そして、挿入子５が矢印Ｋに沿って移動するのにしたがって、該挿入子５が該ばね片１８の弾性復元力に抗して、頂部２０と接触壁１５との間を広げるようにばね片１８を弾性変形させる。そして、図１３（ｂ）に示すように、挿入子５を矢印Ｋに沿って、筒部１１の奥に侵入させると、挿入子５の基端部側２４がばね片１８の頂部２０と接触壁１５との間に位置付けられる。すると、挿入子５の先端部側２６が規制部材２５と相対し、基端部側２４が第二規制部材２８と相対するとともに、ばね片１８の頂部２０と、接触壁１５と、の間に位置付けられる。そして、前述したコネクタ１と相手方のコネクタとの嵌合が完了する。
【００９８】
本実施形態によれば、規制部材２５は、挿入子５の先端部側２６が、筒部１１の内面から一定以上離間することを規制することで、挿入子５の先端部側２６が振動することを規制する振動規制部１７を構成する。このように、振動規制部１７は、挿入子５を筒部１１の内面から一定以上離間することを規制することで、該挿入子５の先端部側２６が振動することを規制する。
【００９９】
ばね片１８の頂部２０即ち他端部２３が挿入子５の基端部側２４を天井壁１３に向かって付勢し、挿入子５の基端部側２４が筒部１１の内面から一定以上離間することを規制板２９が規制することで、ばね片１８の頂部２０即ち他端部２３と第二規制部材２８とが挿入子５の基端部側２４を支持する基端部側支持部１６を構成する。
【０１００】
このように、基端部側支持部１６と、振動規制部１７とにより、確実に挿入子５の基端部側２４と先端部側２６との二箇所を支持することができる。このため、筒部１１内に収容された挿入子５が接点を中心に回転することを規制できるので、本発明の雌端子３は、相手方の雄端子４の挿入子５の振動を防止して、微摺動摩耗を起こして相手方の雄端子４との電気的な抵抗値を上昇させることを防止できる。
【０１０１】
また、導入部１９が、規制板２９より挿入子５側に位置し、挿入子５をばね片１８と筒部１１の内壁１３との間に誘導するので、筒部１１に侵入する挿入子５をばね片１８と筒部１１の内壁１３との間に確実に位置付けることができる。
【０１０２】
次に、本発明の第３の実施形態に係る雌端子を、図１４乃至図１６を参照して説明する。なお、前述した第１及び第２の実施形態と同一構成部分には、同一符号を付して説明を省略する。
【０１０３】
本実施形態では、電気的接続部１２は、一対のばね片１８ａ，１８ｂを備えている。
【０１０４】
一対のばね片１８ａ，１８ｂそれぞれは、図１４及び図１５に示すように、帯板状に形成されている。ばね片１８ａは、一端部２１が図１４に示すように、天井壁１３に連なっており、ばね片１８ｂは、一端部２１が図１４に示すように、側壁１４に連なっている。このため、ばね片１８ａ，１８ｂは、一端部２１が筒部１１に連なっている。ばね片１８ａ，１８ｂの一端部２１から離れた他端部２３は、自由端となっている。なお、ばね片１８ａとばね片１８ｂとは、図１４に示すように、互いに矢印Ｋに沿って逆向きに配されている。さらに、ばね片１８ａ，１８ｂは、図１４に示すように、矢印Ｋに直交する方向に沿って、互いに間隔をあけて配されている。
【０１０５】
ばね片１８ａは、一端部２１が筒部１１の矢印Ｋの手前側に配されており、他端部２３が筒部１１の矢印Ｋの奥側に配されている。即ち、ばね片１８ａは、一端部２１が筒部１１に挿入される前の挿入子５寄りに配されており、他端部２３が筒部１１に挿入される前の挿入子５から離れた側に配されている。
【０１０６】
ばね片１８ｂは、他端部２３が筒部１１の矢印Ｋの手前側に配されており、一端部２１が筒部１１の矢印Ｋの奥側に配されている。即ち、ばね片１８ｂは、他端部２３が筒部１１に挿入される前の挿入子５寄りに配されており、一端部２１が筒部１１に挿入される前の挿入子５から離れた側に配されている。
【０１０７】
ばね片１８ａは、本明細書に記した一方のばね片をなしている。ばね片１８ｂは、本明細書に記した他方のばね片をなしている。
【０１０８】
さらに、ばね片１８ａは、接触壁１５と、切欠き部３０と、頂部２０（以下、２０ａで示す）と、を備えている。
【０１０９】
接触壁１５は、ばね片１８ａの一端部２１に設けられている。接触壁１５は、ばね片１８ａの一端部２１から底壁９ｂに向かって突出し、かつ中央が天井壁１３並びに底壁９ｂと平行になるように折り曲げられて形成されている。
【０１１０】
切欠き部３０は、図１５に示すように、ばね片１８ａの一端部２１と他端部２３との間でかつ前述した一端部２１寄りに設けられている。切欠き部３０は、一対の切欠き４４ａ，４４ｂを備えている。一方の切欠き４４ａは、ばね片１８ａの一方の縁から他方の縁に向かってばね片１８ａを切欠いている。他方の切欠き４４ｂは、ばね片１８ａの他方の縁から一方の縁に向かってばね片１８ａを切欠いている。切欠き４４ａ，４４ｂは、矢印Ｋ即ちばね片１８ａの長手方向に沿って、互いに間隔をあけて配されている。切欠き部３０は、切欠き４４ａ，４４ｂを備えることで、ばね片１８ａをより弾性変形自在にしている。
【０１１１】
頂部２０ａは、図１６に示すように、ばね片１８ａの他端部２３に設けられている。頂部２０ａは、ばね片１８ａが底壁９ｂに近づけられるように湾曲されて、形成されている。頂部２０ａは、ばね片１８ａの他端部２３のうち最も底壁９ｂに近い位置である。頂部２０ａは、その表面上に筒部１１内に侵入した挿入子５を載置する。
【０１１２】
前述したばね片１８ａは、頂部２０ａが天井壁１３に近づく方向に変位するように、弾性変形自在になっている。
【０１１３】
ばね片１８ｂは、頂部２０（以下、２０ｂで示す）を備えている。頂部２０ｂは、図１６に示すように、ばね片１８ｂの他端部２３に設けられている。頂部２０ｂは、ばね片１８ｂが天井壁１３に近づけられるように湾曲されて、形成されている。頂部２０ｂは、ばね片１８ｂが他端部２３のうち最も天井壁１３に近い位置である。頂部２０ｂは、その表面上に筒部１１内に侵入した挿入子５を載置する。
【０１１４】
前述したばね片１８ｂは、頂部２０ｂが底壁９ｂに近づく方向に変位するように、弾性変形自在になっている。
【０１１５】
そのため、ばね片１８ａの頂部２０ａ即ち他端部２３は、ばね片１８ｂの一端部２１との間に位置付けられた挿入子５の先端部側２６を底壁９ｂに向かって付勢する（支持する）。こうして、ばね片１８ａの頂部２０ａ即ち他端部２３とばね片１８ｂの一端部２１とは、互いの間に挿入子５の先端部側２６を挟む。つまり、ばね片１８ａの頂部２０ａ即ち他端部２３とばね片１８ｂの一端部２１とは、挿入子５の先端部側２６を互いの間に挟むことで、挿入子５の先端部側２６が振動することを規制する振動規制部１７を構成する。このように、振動規制部１７は、ばね片１８ａの他端部２３とばね片１８ｂの一端部２１とにより、挿入子５を互いの間に挟むことで、挿入子５の先端部側２６が振動することを規制する。
【０１１６】
また、ばね片１８ｂの頂部２０ｂ即ち他端部２３は、接触壁１５即ちばね片１８ａの一端部２１との間に位置付けられた挿入子５の基端部側２４を天井壁１３に向かって付勢する（支持する）。こうして、ばね片１８ｂの頂部２０ｂ即ち他端部２３とばね片１８ａの一端部２１とは、互いの間に挿入子５の基端部側２４を挟む。つまり、ばね片１８ｂの頂部２０ｂ即ち他端部２３とばね片１８ａの一端部２１とは、挿入子５の基端部側２４を互いの間に挟むことで、挿入子５の基端部側２４を支持する基端部側支持部１６を構成する。このように、基端部側支持部１６は、ばね片１８ｂの他端部２３とばね片１８ａの一端部２１とにより、挿入子５を互いの間に挟むことで、挿入子５の基端部側２４を支持する。
【０１１７】
本実施形態によれば、ばね片１８ａの頂部２０ａ即ち他端部２３とばね片１８ｂの一端部２１とは、挿入子５の先端部側２６を互いの間に挟むことで、挿入子５の先端部側２６が振動することを規制する振動規制部１７を構成する。このように、振動規制部１７は、ばね片１８ａの他端部２３とばね片１８ｂの一端部２１とにより、挿入子５を互いの間に挟むことで、挿入子５の先端部側２６が振動することを規制する。
【０１１８】
また、ばね片１８ｂの頂部２０ｂ即ち他端部２３とばね片１８ａの一端部２１とは、挿入子５の基端部側２４を互いの間に挟むことで、挿入子５の基端部側２４を支持する基端部側支持部１６を構成する。このように、基端部側支持部１６は、ばね片１８ｂの他端部２３とばね片１８ａの一端部２１とにより、挿入子５を互いの間に挟むことで、挿入子５の基端部側２４を支持する。
【０１１９】
電気的接続部１２が互いの間に挿入子５を挟むばね片１８ａ，１８ｂを一対備えているので、ばね片１８ａ，１８ｂが挿入子５を筒部１１の内側に向かって付勢（弾性変形）することで、確実に挿入子５の基端部側２４及び先端部側２６の二箇所を支持することができる。このため、筒部１１内に収容された挿入子５が接点を中心に回転することを規制できるので、本発明の雌端子３は、相手方の雄端子４の挿入子５の振動を防止して、微摺動摩耗を起こして相手方の雄端子４との電気的な抵抗値を上昇させることを防止できる。
【０１２０】
また、一方のばね片１８ａの一端部２１と他方のばね片１８ｂの他端部２３との間に挿入子５の基端部側２４を挟み、一方のばね片１８ａの他端部２３と他方のばね片１８ｂの一端部２１との間に挿入子５の先端部側２６を挟むので、確実に挿入子５の基端部側２４及び先端部側２６の二箇所を支持することができる。このため、筒部１１内に収容された挿入子５が接点を中心に回転することを規制できるので、本発明の雌端子３は、相手方の雄端子４の挿入子５の振動を防止して、微摺動摩耗を起こして相手方の雄端子４との電気的な抵抗値を上昇させることを防止できる。
【０１２１】
前述した実施形態では、ばね片１８ａに切欠き部３０に設けていた。しかしながら、本発明では、図１７に示すように、ばね片１８ｂに切欠き部３０を設けても良い。即ち、切欠き部３０は、ばね片１８ａ，１８ｂのどちらに設けられても良いとともに、切欠き部３０は、ばね片１８ａ，１８ｂの双方に設けなくても良い。つまり、本発明では、頂部２０ａが筒部１１の天井壁１３に近づく方向に変位するように、ばね片１８ａが弾性変形自在になっていれば良く、頂部２０ｂが底壁９ｂに近づく方向に変位するように、ばね片１８ｂが弾性変形自在になっていれば良い。
【０１２２】
次に、本発明の第４の実施形態に係る雌端子を、図１８を参照して説明する。なお、前述した第１乃至第３の実施形態と同一構成部分には、同一符号を付して説明を省略する。
【０１２３】
本実施形態では、電気的接続部１２は、一対のばね片１８ａ，１８ｂを備えている。本実施形態では、図１８に示すように、ばね片１８ａとばね片１８ｂとは、互いに筒部１１の矢印Ｋに沿って同一向きに配されている。
【０１２４】
即ち、一対のばね片１８ａ，１８ｂそれぞれは、筒部１１に連なる一端部２１が筒部１１の矢印Ｋの手前側に配されており、自由端の他端部２３が筒部１１の矢印Ｋの奥側に配されている。即ち、一対のばね片１８ａ，１８ｂそれぞれは、一端部２１が筒部１１内に挿入前の挿入子５寄り配され、他端部２３が筒部１１内に挿入前の挿入子５から離れた側に配されている。
【０１２５】
さらに、一対のばね片１８ａ，１８ｂそれぞれは、第一の頂部３１ａ，３１ｂと、ばね片１８ａ，１８ｂの長手方向に沿って（矢印Ｋに沿って）第一の頂部３１ａ，３１ｂと間隔をあけて配された第二の頂部３２ａ，３２ｂと、を備えている。
【０１２６】
第一の頂部３１ａ，３１ｂそれぞれは、図１８に示すように、ばね片１８ａの他端部２３に設けられている。第一の頂部３１ａ，３１ｂは、矢印Ｋに直交する方向に沿って、互いに相対している。第二の頂部３２ａ，３２ｂそれぞれは、第一の頂部３１ａ，３１ｂと一端部２１との間でかつ前述した一端部２１（寄り）に設けられている。第二の頂部３２ａ，３２ｂは、矢印Ｋに直交する方向に沿って、互いに相対している。
【０１２７】
第一の頂部３１ａ及び第二の頂部３２ａは、ばね片１８ａが底壁９ｂに近づけられるように湾曲されて形成されている。第一の頂部３１ａは、ばね片１８ａの他端部２３のうち最も底壁９ｂに近い位置であり、第二の頂部３２ａは、ばね片１８ａの一端部２１のうち最も底壁９ｂに近い位置である。
【０１２８】
また、第一の頂部３１ｂ及び第二の頂部３２ｂは、ばね片１８ｂが天井壁１３に近づけられるように湾曲されて形成されている。第一の頂部３１ｂは、ばね片１８ｂの他端部２３のうち最も天井壁１３に近い位置であり、第二の頂部３２ｂは、ばね片１８ｂの一端部２１のうち最も天井壁１３に近い位置である。
【０１２９】
第一の頂部３１ａ，３１ｂ及び第二の頂部３２ａ，３２ｂは、その表面上に筒部１１内に侵入した挿入子５を載置する。
【０１３０】
前述したばね片１８ａは、第一及び第二の頂部３１ａ，３２ａが天井壁１３に近づく方向に変位するように、弾性変形自在になっている。また、前述したばね片１８ｂは、第一及び第二の頂部３１ｂ，３２ｂが底壁９ｂに近づく方向に変位するように、弾性変形自在になっている。
【０１３１】
ばね片１８ａの第一の頂部３１ａ即ち他端部２３は、ばね片１８ｂとの間に位置付けられた挿入子５の先端部側２６を、ばね片１８ｂの第一の頂部３１ｂ即ち他端部２３に向かって付勢する（支持する）。ばね片１８ｂの第一の頂部３１ｂ即ち他端部２３は、ばね片１８ａとの間に位置付けられた挿入子５の先端部側２６を、ばね片１８ａの第一の頂部３１ａ即ち他端部２３に向かって付勢する（支持する）。このため、一対のばね片１８ａ，１８ｂの第一の頂部３１ａ，３１ｂ即ち他端部２３は、互いの間に挿入子５の先端部側２６を挟む。つまり、一対のばね片１８ａ，１８ｂの第一の頂部３１ａ，３１ｂ即ち他端部２３は、挿入子５の先端部側２６を互いの間に挟むことで、挿入子５の先端部側２６が振動することを規制する振動規制部１７を構成する。このように、振動規制部１７は、一対のばね片１８ａ，１８ｂの他端部２３により、挿入子５を互いの間に挟むことで、該挿入子５の先端部側２６が振動することを規制する。
【０１３２】
また、ばね片１８ａの第二の頂部３２ａ即ち一端部２１は、ばね片１８ｂとの間に位置付けられた挿入子の基端部側２４を、ばね片１８ｂの第二の頂部３２ｂ即ち一端部２１に向かって付勢する（支持する）。ばね片１８ｂの第二の頂部３２ｂ即ち一端部２１は、ばね片１８ａとの間に位置付けられた挿入子の基端部側２４を、ばね片１８ａの第二の頂部３２ａ即ち一端部２１に向かって付勢する（支持する）。このため、一対のばね片１８ａ，１８ｂの第二の頂部３２ａ，３２ｂ即ち一端部２１は、互いの間に挿入子５の基端部側２４を挟む。つまり、一対のばね片１８ａ，１８ｂの第二の頂部３２ａ，３２ｂ即ち一端部２１は、挿入子５の基端部側２４を互いの間に挟むことで、挿入子５の基端部側２４を支持する基端部側支持部１６を構成する。このように、基端部側支持部１６は、一対のばね片１８ａ，１８ｂの一端部２１により、挿入子５を互いの間に挟むことで、該挿入子５の基端部側２４を支持する。
【０１３３】
本実施形態によれば、一対のばね片１８ａ，１８ｂの第一の頂部３１ａ，３１ｂ即ち他端部２３は、挿入子５の先端部側２６を互いの間に挟むことで、挿入子５の先端部側２６が振動することを規制する振動規制部１７を構成する。このように、振動規制部１７は、一対のばね片１８ａ，１８ｂの他端部２３により、挿入子５を互いの間に挟むことで、該挿入子５の先端部側２６が振動することを規制する。
【０１３４】
また、一対のばね片１８ａ，１８ｂの第二の頂部３２ａ，３２ｂ即ち一端部２１は、挿入子５の基端部側２４を互いの間に挟むことで、挿入子５の基端部側２４を支持する基端部側支持部１６を構成する。このように、基端部側支持部１６は、一対のばね片１８ａ，１８ｂの一端部２１により、挿入子５を互いの間に挟むことで、該挿入子５の基端部側２４を支持する。
【０１３５】
また、一対のばね片１８ａ，１８ｂの一端部２１間に挿入子５の基端部側２４を挟み、他端部２３間に挿入子５の先端部側２６を挟むので、ばね片１８ａ，１８ｂ間が挿入子５を筒部１１の内側に向かって付勢（弾性変形）することで、挿入子５の基端部側２４及び先端部側２６の二箇所を支持することができる。このため、筒部１１内に収容された挿入子５が接点を中心に回転することを規制できるので、本発明の雌端子３は、相手方の雄端子４の挿入子５の振動を防止して、微摺動摩耗を起こして相手方の雄端子４との電気的な抵抗値を上昇させることを防止できる。
【０１３６】
次に、本発明の第５の実施形態に係る雌端子を、図１９乃至図２１を参照して説明する。なお、前述した第１乃至第４の実施形態と同一構成部分には、同一符号を付して説明を省略する。
【０１３７】
本実施形態では、電気的接続部１２は、一対のばね片１８ａ，１８ｂを備えている。
【０１３８】
ばね片１８ａは、図１９及び図２０に示すように、帯板状に形成されており、一端部２１が図１９に示すように、天井壁１３の矢印Ｋの手前側即ち挿入子５寄りに連なっている端壁３３ａに連なっている。このため、ばね片１８ａは、一端部２１から離れた他端部２３ａが自由端となっているとともに、一端部２１が筒部１１に連なっている。ばね片１８ａは、一端部２１が筒部１１の矢印Ｋの手前側に配されており、他端部２３が筒部１１の矢印Ｋの奥側に配されている。ばね片１８ａは、本明細書に記した一方のばね片をなしている。ばね片１８ａは、他端部２３ａが筒部１１の内側に位置し、該筒部１１の内側で丸められるように曲げられている。
【０１３９】
ばね片１８ｂは、帯板状に形成されており、一端部２１が図１９に示すように、底壁９ｂの矢印Ｋの手前側即ち挿入子５寄りに連なっている端壁３３ｂに連なっている。このため、ばね片１８ｂは、一端部２１から離れた他端部２３ｂが自由端となっているとともに、一端部２１が筒部１１に連なっている。ばね片１８ｂは、一端部２１が筒部１１の矢印Ｋの手前側に配されており、他端部２３が筒部１１の矢印Ｋの奥側に配されている。ばね片１８ｂは、本明細書に記した他方のばね片をなしている。ばね片１８ｂは、他端部２３ｂが筒部１１の内側に位置し、該筒部１１の内側で丸められるように曲げられている。
【０１４０】
さらに、ばね片１８ｂの他端部２３ｂは、ばね片１８ａの他端部２３ａの外側に位置付けられている。つまり、ばね片１８ｂの他端部２３ｂは、ばね片１８ａの他端部２３ａの外側に覆いかぶさっている。ばね片１８ａ，１８ｂの他端部２３ａ，２３ｂが逆向きに丸められている。即ち、ばね片１８ａ，１８ｂの他端部２３ａ，２３ｂ寄りの端は、筒部１１の挿入子５寄りの開口部に相対している。
【０１４１】
さらに、ばね片１８ａは、図１９及び図２０に示すように、頂部２０（以下、２０ａで示す）と、ばね片１８ｂと接触する接点ａと、を備えている。
【０１４２】
頂部２０ａは、図１９に示すように、ばね片１８ａの一端部２１に設けられている。頂部２０ａは、図２０に示すように、ばね片１８ａが底壁９ｂに近づけられるように湾曲されて、形成されている。頂部２０ａは、ばね片１８ａの一端２１のうち最も底壁９ｂに近い位置である。頂部２０ａは、その表面上に筒部１１内に侵入した挿入子５の基端部側２４を載置する。
【０１４３】
前述したばね片１８ａは、頂部２０ａが天井壁１３に近づく方向に変位するように、弾性変形自在になっている。
【０１４４】
また、接点ａは、丸められるように曲げられたばね片１８ａの外側に設けられており、ばね片１８ｂの他端部２３ｂの内側と相対する。そのため、接点ａは、ばね片１８ｂの他端部２３ｂの内側と当接する。
【０１４５】
ばね片１８ｂは、図１９及び図２０に示すように、頂部２０（以下、２０ｂで示す）と、ばね片１８ａと接触する接点ｂと、を備えている。
【０１４６】
頂部２０ｂは、図１９に示すように、ばね片１８ｂの一端部２１に設けられている。頂部２０ｂは、図２０に示すように、ばね片１８ｂが天井壁１３に近づけられるように湾曲されて、形成されている。頂部２０ｂは、ばね片１８ｂの一端２１のうち最も天井壁１３に近い位置である。頂部２０ｂは、その表面上に筒部１１内に侵入した挿入子５の基端部側２４を載置する。
【０１４７】
前述したばね片１８ｂは、頂部２０ｂが底壁９ｂに近づく方向に変位するように、弾性変形自在になっている。
【０１４８】
また、接点ｂは、丸められるように曲げられたばね片１８ｂの内側に設けられており、ばね片１８ａの他端部２３ａの外側と相対する。そのため、接点ｂは、ばね片１８ａの他端部２３ａの外側と当接する。
【０１４９】
ばね片１８ａの頂部２０ａ即ち一端部２１は、ばね片１８ｂとの間に位置付けられた挿入子５の基端部側２４を、ばね片１８ｂ頂部２０ｂに向かって付勢する（支持する）。ばね片１８ｂの頂部２０ｂ即ち一端部２１は、ばね片１８ａとの間に位置付けられた挿入子５の基端部側２４を、ばね片１８ａ頂部２０ａに向かって付勢する（支持する）。このため、一対のばね片１８ａ，１８ｂの頂部２０ａ，２０ｂ即ち一端部２１は、互いの間に挿入子５の基端部側２４を挟む。つまり、一対のばね片１８ａ，１８ｂの頂部２０ａ，２０ｂ即ち一端部２１は、挿入子５の基端部側２４を互いの間に挟むことで、挿入子５の基端部側２４を支持する基端部側支持部１６を構成する。このように、基端部側支持部１６は、一対のばね片１８ａ，１８ｂの一端部２１により、挿入子５を互いの間に挟むことで、該挿入子５の基端部側２４を支持する。
【０１５０】
また、ばね片１８ａの他端部２３ａは、その表面上に筒部１１内に侵入した挿入子５の先端部側２６を載置する。ばね片１８ａの他端部２３ａは、他端部２３ａが底壁９ｂに近づく方向に変位するように、弾性変形自在になっている。このため、ばね片１８ａの他端部２３ａは、他端部２３ａに載置された挿入子の先端部側２６を、天井壁１３に向かって付勢する（支持する）。つまり、ばね片１８ａの他端部２３ａは、挿入子５の先端部側２６を、天井壁１３に向かって付勢することで、挿入子５の先端部側２６が振動することを規制する振動規制部１７を構成する。このように、振動規制部１７は、ばね片１８ａの他端部２３ａにより、挿入子５を、天井壁１３に向かって付勢することで、該挿入子５の先端部側２６が振動することを規制する。
【０１５１】
雌端子３は、電線接続部７と、電気接触部８と、の外形を形成するように打ち抜かれた図２１に示す板金２７が折り曲げられることによって製造される。
【０１５２】
板金２７を、図２１中の点線で示す折り目線で折り曲げて、端壁３３ａ，３３ｂと、ばね片１８ａ，１８ｂと、を形成する。そして、ばね片１８ａ，１８ｂを丸めるように曲げて、頂部２０ａ，２０ｂを形成するとともに、他端部２３ｂを他端部２３ａの外側に覆いかぶせる。
【０１５３】
次に、筒部１１内に挿入された挿入子５が、矢印（挿入方向）Ｋに対して振れた際について説明する。まず、図２０に示すように、矢印Ｋに沿って、挿入子５を筒部１１の奥に侵入させると、挿入子５の先端部側２６は、ばね片１８ａの他端部２３ａに載置され、ばね片１８ａの他端部２３ａに天井壁１３に向かって付勢される。また、挿入子５の基端部側２４は、相対するばね片１８ａ，１８ｂの頂部２０ａ，２０ｂ即ち一端部２１間に位置付けられる。すると、一対のばね片１８ａ，１８ｂの頂部２０ａ，２０ｂ即ち一端部２１は、相対する頂部２０ａ，２０ｂに向かって付勢される（支持される）。このため、一対のばね片１８ａ，１８ｂの頂部２０ａ，２０ｂ即ち一端部２１は、互いの間に挿入子５の基端部側２４を挟む。こうして、挿入子５の先端部側２６をばね片１８ａの他端部２３ａに天井壁１３に向かって付勢させ、基端部側２４を一対のばね片１８ａ，１８ｂの頂部２０ａ，２０ｂ即ち一端部２１間に挟ませ、筒部１１内に収容させる。
【０１５４】
筒部１１内に挿入された挿入子５全体が天井壁１３に向かって（図２０中に矢印ｘ１で示す）振れた場合は、挿入子５の基端部側２４が、矢印ｘ２に示すように、ばね片１８ａの頂部２０ａを天井壁１３に向かって押す。すると、ばね片１８ａは、頂部２０ａが挿入子５の基端部側２４を底壁９ｂに向かって付勢するとともに、全体が天井壁１３に向かって変位する。即ち、ばね片１８ａの他端部２３ａが、天井壁１３に向かって変位する。すると、矢印ｘ３に示すように、ばね片１８ａの他端部２３ａが、挿入子５の先端部側２６に追従する。このため、挿入子５の先端部側２６と、ばね片１８ａの他端部２３ａとが、当接したままとなる。さらに、ばね片１８ａ全体が天井壁１３に向かって変位すると、ばね片１８ａの接点ａは、ばね片１８ｂの他端部２３ｂを天井壁１３に向かって押す。すると、ばね片１８ｂ全体が、天井壁１３に向かってばね片１８ａと連動して変位する。すると、ばね片１８ｂは、頂部２０ｂが挿入子５の基端部側２４を天井壁１３に向かって付勢するとともに、接点ｂがばね片１８ａの他端部２３ａの外側に当接する。このため、ばね片１８ｂの接点ｂが、ばね片１８ａの他端部２３ａに追従する。
【０１５５】
また、筒部１１内に挿入された挿入子５全体が底壁９ｂに向かって（図２０中に矢印ｙ１で示す）振れた場合は、挿入子５の先端部側２６が、矢印ｙ３に示すように、ばね片１８ａの他端部２３ａを底壁９ｂに向かって押す。このため、挿入子５の先端部側２６と、ばね片１８ａの他端部２３ａとが、当接したままとなる。さらに、この際に、挿入子５の基端部側２４は、矢印ｙ２に示すように、ばね片１８ｂの頂部２０ｂを底壁９ｂに向かって押す。すると、ばね片１８ｂは、頂部２０ｂが挿入子５の基端部側２４を天井壁１３に向かって付勢するとともに、全体が底壁９ｂに向かって変位する。すると、ばね片１８ｂの他端部２３ｂが、ばね片１８ａの接点ａを底壁９ｂに向かって押す。即ち、ばね片１８ｂの他端部２３ｂが、ばね片１８ａの接点ａに追従する。このため、ばね片１８ａ全体が、底壁９ｂに向かってばね片１８ｂと連動して変位する。すると、ばね片１８ａは、頂部２０ａが挿入子５の基端部側２４を底壁９ｂに向かって付勢するとともに、他端部２３ａの外側がばね片１８ｂの接点ｂに当接する。
【０１５６】
また、筒部１１内に挿入された挿入子５の先端部側２６が、図２０の点線で示すように、ばね片１８ａ，１８ｂの頂部２０ａ，２０ｂを中心に回転して底壁９ｂに向かって（図２０中に矢印ｐ１で示す）振れた場合は、挿入子５の先端部側２６が、矢印ｐ４に示すように、ばね片１８ａの他端部２３ａを底壁９ｂに向かって押す。このため、挿入子５の先端部側２６と、ばね片１８ａの他端部２３ａとが、当接したままとなる。さらに、この際に、矢印ｐ２に示すように、挿入子５が、端壁３３ａの端壁３３ｂ寄りの縁に当接する。すると、挿入子５が、端壁３３ａの端壁３３ｂ寄りの縁を中心に回転して、矢印ｐ３に示すように、挿入子５の基端部側２４が、ばね片１８ｂの頂部２０ｂを底壁９ｂに向かって押す。すると、ばね片１８ｂは、頂部２０ｂが挿入子５の基端部側２４を天井壁１３に向かって付勢するとともに、全体が、図２０の点線で示すように、底壁９ｂに向かって変位する。すると、前述した挿入子５全体が底壁９ｂに向かって振れた場合と同様に、ばね片１８ｂの他端部２３ｂが、ばね片１８ａの接点ａに追従し、ばね片１８ａ全体が、図２０の点線で示すように、ばね片１８ｂと連動して変位する。
【０１５７】
また、筒部１１内に挿入された挿入子５の先端部側２６が、ばね片１８ａ，１８ｂの頂部２０ａ，２０ｂを中心に回転して天井壁１３に向かって（図２０中に矢印ｑ１で示す）振れた場合は、矢印ｑ２に示すように、挿入子５が、端壁３３ｂの端壁３３ａ寄りの縁に当接する。すると、挿入子５が、端壁３３ｂの端壁３３ａ寄りの縁を中心に回転して、矢印ｑ３に示すように、挿入子５の基端部側２４が、ばね片１８ａの頂部２０ａを天井壁１３に向かって押す。すると、前述した挿入子５全体が天井壁１３に向かって振れた場合と同様に、ばね片１８ａは、頂部２０ａが挿入子５の基端部側２４を底壁９ｂに向かって付勢するとともに、全体が、天井壁１３に向かって変位する。すると、ばね片１８ａの他端部２３ａが、矢印ｑ４に示すように、挿入子５の先端部側２６に追従し、挿入子５の先端部側２６と、当接したままとなる。
【０１５８】
本実施形態によれば、一対のばね片１８ａ，１８ｂの頂部２０ａ，２０ｂ即ち一端部２１は、挿入子５の基端部側２４を互いの間に挟むことで、挿入子５の基端部側２４を支持する基端部側支持部１６を構成する。このように、基端部側支持部１６は、一対のばね片１８ａ，１８ｂの一端部２１により、挿入子５を互いの間に挟むことで、該挿入子５の基端部側２４を支持する。
【０１５９】
また、ばね片１８ａの他端部２３ａは、挿入子５の先端部側２６を天井壁１３に向かって付勢することで、挿入子５の先端部側２６が振動することを規制する振動規制部１７を構成する。このように、振動規制部１７は、ばね片１８ａの他端部２３ａにより、挿入子５を筒部１１の内面に向かって付勢することで、挿入子５の先端部側２６が振動することを規制する。
【０１６０】
また、一対のばね片１８ａ，１８ｂの頂部２０ａ，２０ｂ即ち一端部２１間に挿入子５の基端部側２４を挟み、一対のばね片１８ａ，１８ｂのうち一方のばね片１８ａの他端部２３ａが、筒部１１の内側で丸められるように曲げられて、他方のばね片１８ｂの他端部２３ｂが、一方のばね片１８ａの他端部２３ａの外側に覆いかぶさるように筒部１１の内側で丸められるように曲げられており、一方のばね片１８ａの他端部２３ａが挿入子５の先端部側２６が振動すること規制するので、筒部１１内に挿入された挿入子５がｘ１，ｙ１，ｐ１，ｑ１に示すように振動しても、前述したように、ばね片１８ａ，１８ｂ全体が変位して、挿入子５の先端部側２６と、ばね片１８ａの他端部２３ａとが、当接したままとなる。このため、ばね片１８ａ，１８ｂの一端部２１間が挿入子５の基端部側２４を筒部１１の内側に向かって付勢（弾性変形）し、ばね片１８ａの他端部２３ａが挿入子５の先端部側２６が振動することを規制することで、挿入子５の基端部側２４及び先端部側２６の二箇所を支持することができる。このため、筒部１１内に収容された挿入子５が接点を中心に回転することを規制できるので、本発明の雌端子３は、相手方の雄端子４の挿入子５の振動を防止して、微摺動摩耗を起こして相手方の雄端子４との電気的な抵抗値を上昇させることを防止できる。
【０１６１】
次に、本発明の第６の実施形態に係る雌端子を、図２２及び図２３を参照して説明する。なお、前述した第１乃至第５の実施形態と同一構成部分には、同一符号を付して説明を省略する。
【０１６２】
本実施形態では、電気的接続部１２は、一対のばね片１８ａ，１８ｂと、筒状部３４と、を備えている。
【０１６３】
一対のばね片１８ａ，１８ｂそれぞれは、図２２に示すように、帯板状に形成されている。ばね片１８ａは、一端部２１が図２２及び図２３に示すように、底壁９ｂに連なっており、ばね片１８ｂの一端部２１が、側壁１４に連なっている。このため、ばね片１８ａ，１８ｂそれぞれは、ばね片１８ａ，１８ｂの一端部２１が筒部１１に連なっている。ばね片１８ａ，１８ｂそれぞれは、一端部２１から離れた他端部２３は、自由端となっている。ばね片１８ａとばね片１８ｂとは、互いの縁同士が連なり、矢印Ｋに直交した方向に沿った断面がＬ字状に配されている。
【０１６４】
また、ばね片１８ａ，１８ｂそれぞれは、一端部２１が筒部１１の矢印Ｋの手前側に配されており、他端部２３が筒部１１の矢印Ｋの奥側に配されている。ばね片１８ａは、本明細書に記した一方のばね片をなしている。ばね片１８ｂは、本明細書に記した他方のばね片をなしている。さらに、一対のばね片１８ａ，１８ｂは、それぞれ突起３５を備えている。
【０１６５】
突起３５は、図２２及び図２３に示すように、ばね片１８ａ，１８ｂの表面から筒部１１の内側に向かって突出している。突起３５は、ばね片１８ａ，１８ｂの一端部２１（寄り）に設けられている。突起３５は、その表面上に筒部１１内に侵入した挿入子５の基端部側２４を載置する。突起３５は、筒部１１の外側に向かって変位するように、弾性変形自在になっている。
【０１６６】
そのため、ばね片１８ａ，１８ｂの突起３５即ち一端部２１は、突起３５の表面に位置付けられた挿入子５の基端部側２４を、筒部１１の内側に向かって付勢する（支持する）。つまり、ばね片１８ａ，１８ｂの突起３５即ち一端部２１は、挿入子５の基端部側２４を筒部１１の内側に向かって付勢することで、挿入子５の基端部側２４を支持する基端部側支持部１６を構成する。このように、基端部側支持部１６は、ばね片１８ａ，１８ｂの一端部２１により、挿入子５を筒部１１の内側に向かって付勢することで、該挿入子５の基端部側２４を支持する。
【０１６７】
筒状部３４は、筒状に形成されている。筒状部３４は、一対のばね片１８ａ，１８ｂそれぞれの他端部２３に一体に連なっている。即ち、筒状部３４は、一対のばね片１８ａ，１８ｂそれぞれの他端部２３即ち自由端に連なっている。筒状部３４は、挿入子５の先端部側２６が侵入する。筒状部３４は、侵入された挿入子５が振動した際に、その内側に挿入子５の先端部側２６と当接させるとともに、挿入子５の先端部側２６を筒状部３４の内側に付勢する。つまり、筒状部３４即ちばね片１８ａ，１８ｂの他端部２３は、筒状部３４の内側に侵入された挿入子５の先端部側２６と当接させることで、挿入子５の先端部側２６が振動することを規制する振動規制部１７を構成する。このように、振動規制部１７は、筒状部３４即ちばね片１８ａ，１８ｂの他端部２３が、筒状部３４の内側に侵入された挿入子５と当接させることで、挿入子５の先端部側２６が振動することを規制する。
【０１６８】
本実施形態によれば、ばね片１８ａ，１８ｂの突起３５即ち一端部２１は、挿入子５の基端部側２４を筒部１１の内側に向かって付勢することで、挿入子５の基端部側２４を支持する基端部側支持部１６を構成する。このように、基端部側支持部１６は、ばね片１８ａ，１８ｂの一端部２１が、挿入子５を筒部１１の内側に向かって付勢することで、該挿入子５の基端部側２４を支持する。
【０１６９】
筒状部３４即ちばね片１８ａ，１８ｂの他端部２３は、筒状部３４の内側に侵入した挿入子５の先端部側２６が筒状部３４の内側に当接することで、挿入子５の先端部側２６が振動することを規制する振動規制１７を構成する。このように、振動規制部１７は、筒状部３４即ちばね片１８ａ，１８ｂの他端部２３を筒状部３４の内側に侵入した挿入子５と当接させることで、挿入子５の先端部側２６が振動することを規制する。
【０１７０】
また、ばね片１８ａ，１８ｂの突起３５即ち一端部２１が挿入子５の基端部側２４を筒部１１の内面に向かって付勢し、筒状部３４即ちばね片１８ａ，１８ｂの他端部２３が筒状部３４の内側に侵入された挿入子５の先端部側２６と当接させることで、挿入子５の先端部側２６が振動することを規制するので、確実に挿入子５の基端部側２４及び先端部側２６の二箇所を支持することができる。このため、筒部１１内に収容された挿入子５が接点を中心に回転することを規制できるので、本発明の雌端子３は、相手方の雄端子４の挿入子５の振動を防止して、微摺動摩耗を起こして相手方の雄端子４との電気的な抵抗値を上昇させることを防止できる。
【０１７１】
次に、本発明の第７の実施形態に係る雌端子を、図２４及び図２８を参照して説明する。なお、前述した第１乃至第６の実施形態と同一構成部分には、同一符号を付して説明を省略する。
【０１７２】
本実施形態では、電気接触部８の電気的接続部１２は、図２４（ａ），（ｂ）及び図２５（ａ）に示すように、湾曲片３６と、インデント３７と、を備えている。湾曲片３６は、図示例では、一対設けられている。一つの湾曲片３６（以下、符号３６ａで示す）が底壁９ｂに設けられ、他の一つの湾曲片３６（以下、符号３６ｂ示す）が天井壁１３に設けられている。湾曲片３６ａは、底壁９ｂの電線接続部７から離れた端部に設けられている。湾曲片３６ｂは、天井壁１３の電線接続部７寄りの端部に設けられている。こうして、一対の湾曲片３６ａ，３６ｂは、矢印Ｋに沿って、互いに位置ずれしている。このように、一対の湾曲片３６ａ，３６ｂは、矢印Ｋに沿って、設けられている。即ち、湾曲片３６ａ，３６ｂは、矢印Ｋに沿って複数設けられている。
【０１７３】
湾曲片３６ａ，３６ｂは、それぞれ、円盤状の中央部３８と、複数の連結片３９と、を備えている。複数の連結片３９は、中央部３８の周りに互いに間隔をあけて並べられている。即ち、互いにとなり合う連結片３９間には、スリット４０が設けられている。湾曲片３６ａの複数の連結片３９は、中央部３８と筒部１１の底壁９ｂとを連結している。湾曲片３６ｂの複数の連結片３９は、中央部３８と筒部１１の天井壁１３とを連結している。
【０１７４】
湾曲片３６ａ，３６ｂは、中央部３８を筒部１１の壁９ｂ，１３より筒部１１の内側に位置付けるように、前述した中央部３８と連結片３９とが曲げられることで形成されている。湾曲片３６ａは、底壁９ｂの底壁９ｂから離れる方向に、筒部１１の内側に向かって湾曲している。湾曲片３６ｂは、天井壁１３の天井壁１３から離れる方向に、筒部１１の内側に向かって湾曲している。湾曲片３６ａ，３６ｂは、筒部１１の底壁９ｂ及び天井壁１３の一部を、筒部１１の内側に向かって打ち出されて（湾曲されることで）形成されている。
【０１７５】
前述した構成の湾曲片３６ａは、中央部３８が天井壁１３から離れる方向に変位するように、弾性変形自在になっている。前述した構成の湾曲片３６ｂは、中央部３８が底壁９ｂから離れる方向に変位するように、弾性変形自在になっている。湾曲片３６ａ，３６ｂは、パンチ４３などの工具（型ともいう）等を押し当てることにより筒部１１の内側に向かって曲げられて形成される。
【０１７６】
インデント３７は、図示例では、一対設けられている。一つのインデント３７（以下、符号３７ａで示す）が天井壁１３に設けられ、他の一つのインデント３７（以下、符号３７ｂ示す）が底壁９ｂに設けられている。インデント３７ａは、湾曲片３６ａと相対している。インデント３７ｂは、湾曲片３６ｂと相対している。
【０１７７】
インデント３７ａは、筒部１１の天井壁１３が、筒部１１の内側に向かって打ち出されて形成されている。インデント３７ｂは、筒部１１の底壁９ｂが、筒部１１の内側に向かって打ち出されて形成されている。インデント３７ａ，３７ｂは、筒部１１の底壁９ｂ及び天井壁１３から離れる方向に、筒部１１の内側に向かって突出している。インデント３７ａは、電線接続部７に向かうにしたがって徐々に底壁９ｂに向かうように、前述した矢印Ｋに対して傾斜している。インデント３７ｂは、電線接続部７に向かうにしたがって徐々に天井壁１３に向かうように、前述した矢印Ｋに対して傾斜している。インデント３７ａ，３７ｂは、表面上に挿入子５が位置して、該挿入子５から押圧されても、弾性変形しない（殆ど、弾性変形しない）。
【０１７８】
湾曲片３６ａ，３６ｂは、筒部１１内の湾曲片３６ａ，３６ｂとインデント３７ａ，３７ｂとの間に挿入子５が挿入されると、該挿入子５が中央部３８に当接する。挿入子５が筒部１１の矢印Ｋの奥側に挿入されるにしたがって、湾曲片３６ａの中央部３８が天井壁１３から離れる方向に徐々に変位するとともに、湾曲片３６ｂの中央部３８が底壁９ｂから離れる方向に徐々に変位する。
【０１７９】
そして、湾曲片３６ａは、挿入子５を天井壁１３に向かって付勢する弾性復元力を生じる。湾曲片３６ｂは、挿入子５を底壁９ｂに向かって付勢する弾性復元力を生じる。湾曲片３６ａは、図２５（ｂ）に示すように、挿入された挿入子５の基端部側２４をインデント３７ａとともに挟み込む。湾曲片３６ｂは、図２５（ｂ）に示すように、挿入された挿入子５の先端部側２６をインデント３７ｂとともに挟み込む。即ち、一対の湾曲片３６ａ，３６ｂは、筒部１１に挿入された挿入子５を、筒部１１の内面に向かって付勢する（支持する）。
【０１８０】
湾曲片３６ａとインデント３７ａとは、筒部１１内に挿入された挿入子５の基端部側２４を互いの間に挟む。湾曲片３６ｂとインデント３７ｂとは、筒部１１内に挿入された挿入子５の先端部側２６を互いの間に挟む。湾曲片３６ａ，３６ｂ及びインデント３７ａ，３７ｂ間に挟まれた挿入子５は、挿入子５が筒部１１内で、矢印Ｋに交差した方向に振動しても、湾曲片３６ａとインデント３７ａとの間でかつ湾曲片３６ｂとインデント３７ｂとの間に位置付けられる。
【０１８１】
即ち、湾曲片３６ａとインデント３７ａとは、挿入子５の基端部側２４を互いの間に挟む（筒部１１の内面に向かって付勢する）ことで、挿入子５の基端部側２４を支持する基端部側支持部１６を構成する。このように、基端部側支持部１６は、湾曲片３６ａとインデント３７ａとにより、挿入子５を互いの間に挟むことで、挿入子５の基端部側２４を支持する。湾曲片３６ｂとインデント３７ｂとは、挿入子５の先端部側２６を互いの間に挟む（筒部１１の内面に向かって付勢する）ことで、挿入子５の先端部側２６が振動することを規制する振動規制部１７を構成する。このように、振動規制部１７は、湾曲片３６ｂとインデント３７ｂとにより、挿入子５を互いの間に挟むことで、挿入子５の先端部側２６が振動することを規制する。
【０１８２】
雌端子３は、電線接続部７と、電気接触部８と、の外形を形成するように打ち抜かれた図２６に示す板金２７が折り曲げられることによって製造される。
【０１８３】
板金２７を、図２６に示す一点鎖線で示す折り目線４１で折り曲げるとともに、図２６中の二点鎖線で示す切り起こし線４２で囲まれた部分を打ち抜いた後、前述した湾曲片３６ａ，３６ｂを形成するとともに、図２６中の点線で示す部分を切断してインデント３７ａ，３７ｂを形成する。
【０１８４】
次に、湾曲片３６ａ，３６ｂの形成手順について説明する。まず、図２６に示す板金２７の二点鎖線で囲む部分を打ち抜いて、図２７（ａ）及び図２８に示すように、スリット４０を形成する。その後、図２７（ｂ）に示すように、前述した湾曲片３６ａ，３６ｂと外径が等しく、先端面が前記板金２７に向かって凸に湾曲したパンチ４３を、前述したスリット４０が形成された箇所に近づける。
【０１８５】
そして、パンチ４３の先端面を壁９ｂ，１３に押し付けて、中央部３８及び連結片３９を該壁９ｂ，１３から筒部１１の内側に向かって押圧する（打ち出す）。すると、中央部３８と連結片３９とに亘って、壁９ｂ，１３から筒部１１の内側に凸状に曲げられる。こうして、図２７（ｃ）に示すように、湾曲片３６ａ，３６ｂは、中央部３８から連結片３９に亘って、壁９ｂ，１３から打ち出されて、壁９ｂ，１３即ち筒部１１に形成される。
【０１８６】
本実施形態によれば、湾曲片３６ａとインデント３７ａとは、挿入子５の基端部側２４を互いの間に挟む（筒部１１の内面に向かって付勢する）ことで、挿入子５の基端部側２４を支持する基端部側支持部１６を構成する。このように、基端部側支持部１６は、湾曲片３６ａとインデント３７aとにより、挿入子５を互いの間に挟む（筒部１１の内面に向かって付勢する）ことで、挿入子５の基端部側２４を支持する。湾曲片３６ｂとインデント３７ｂとは、挿入子５の先端部側２６を互いの間に挟むことで、挿入子５の先端部側２６が振動することを規制する振動規制部１７を構成する。このように、振動規制部１７は、湾曲片３６ｂとインデント３７ｂとにより、挿入子５を互いの間に挟むことで、挿入子５の先端部側２６が振動することを規制する。
【０１８７】
また、基端部側支持部１６と、振動規制部１７が、筒部１１の一部を筒部１１の内側に向かって湾曲されることで形成された湾曲片３６ａ，３６ｂであるので、筒部１１内に収容された挿入子５が矢印Ｋに交差した方向に振動しても、挿入子５の基端部側２４と先端部側２６を挟む（筒部１１の内面に向かって付勢する）ことができる。このため、基端部側２４と先端部側２６を挟まれた（筒部１１の内面に向かって付勢された）挿入子５が矢印Ｋに交差した方向に振動しても、挿入子５と雌端子３の電気的接続部１２との電気的な接続を保つことができるので、本発明の雌端子３は、相手方の雄端子４の挿入子５の振動を防止して、微摺動摩耗を起こして相手方の雄端子４との電気的な抵抗値を上昇させることを防止できる。
【０１８８】
また、筒部１１の先端などの縁に湾曲片３６ａ，３６ｂを連なる必要がなくなるので、折り曲げられる前の状態で筒部１１から外方向に延びる部分がなくなる。したがって、雌端子３の材料の歩留りを向上させることができる。即ち、雌端子３を構成する板金２７からより多くの雌端子３を得ることができるとともに、板金２７の雌端子３以外となる部分（無駄となる部分）を減少させることができる。
【０１８９】
また、湾曲片３６ａ，３６ｂが、円盤状の中央部３８と、中央部３８の周りに互いに間隔を空けて設けられているとともに中央部３８と筒部１１の壁９ｂ，１３とを連結する複数の連結片３９と、を備えているので、筒部１１内に収容された挿入子５が矢印Ｋに交差した方向に振動しても、挿入子５の基端部側２４と先端部側２６とを筒部１１の内面に向かって付勢することで、挿入子５が振動することを規制することができる。このため、基端部側２４を基端部側支持部１６に筒部１１の内面に向かって付勢され、先端部側２６を振動規制部１７に筒部１１の内面に向かって付勢された挿入子５が矢印Ｋに交差した方向に振動しても、挿入子５と雌端子３の電気的接続部１２との電気的な接続を保つことができるので、本発明の雌端子３は、相手方の雄端子４の挿入子５の振動を防止して、微摺動摩耗を起こして相手方の雄端子４との電気的な抵抗値を上昇させることを防止できる。
【０１９０】
また、湾曲片３６ａ，３６ｂを筒部１１の壁９ｂ，１３に確実に設けることができるため、筒部１１の先端などの縁に湾曲片３６ａ，３６ｂを連なる必要が確実になくなる。したがって、雌端子３の材料の歩留りを向上させることができる。
【０１９１】
本発明では、湾曲片３６が中央部３８の周りに互いに間隔を空けて並べられているとともに中央部３８と筒部１１の壁９ｂ，１３とを連結していれば、図２９（ａ），（ｂ）に示すように、連結片３９を幾つ設けてもよく、連結片３９をいかなる形状に形成しても良い。
【０１９２】
また、本実施形態では、底壁９ｂ及び天井壁１３に湾曲片３６ａ，３６ｂを設けたが、本発明では、側壁１４に湾曲片３６ａ，３６ｂを設けても良い。
【０１９３】
また、本実施形態では、底壁９ｂ及び天井壁１３に湾曲片３６ａ，３６ｂ及びインデント３７ａ，３７ｂを設けている。しかしながら、本発明では、図３０に示すように、湾曲片３６ａ，３６ｂのみを設けても良い。この図３０に示す場合では、底壁９ｂ及び天井壁１３それぞれに、湾曲片３６ａ，３６ｂを一対設けている。このため、本発明では、互いに相対する湾曲片３６ａ間に挿入子５の基端部側２４を挟み、互いに相対する湾曲片３６ｂ間に挿入子５の先端部側２６を挟んでも良い。
【０１９４】
また、本実施形態では、湾曲片３６ａ，３６ｂを一対設けている。しかしながら、本発明では、湾曲片３６を一つのみ設けても良い。この場合、湾曲片３６は、相対する壁即ち筒部１１の内面に向かって挿入子５を付勢するとともに、該内面との間に挿入子５を挟む。要するに、本発明では、壁９ｂ，１３，１４のうちいずれかに設けられた湾曲片３６を少なくとも一つ備えていれば良い。
【０１９５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【０１９６】
【図１】本発明の第１の実施形態に係るコネクタを示す斜視図である。
【図２】図１に示されたコネクタの雌端子を示す断面図である。
【図３】図２中のＩＩＩ−ＩＩＩ線に沿う断面図である。
【図４】図２に示された雌端子の正面図である。
【図５】図４に示されたＶ−Ｖ線に沿う断面を示す斜視図である。
【図６】図２に示された雌端子が形成される板金を示す平面図である。
【図７】図２に示された雌端子に挿入子が侵入する状態を示す説明図であり、（ａ）は挿入子とばね片とを近づける状態を示す断面図であり、（ｂ）は挿入子とばね片とが接触した状態を示す断面図であり、（ｃ）は雌端子に挿入子が侵入した状態を示す断面図である。
【図８】本発明の第２の実施形態に係る雌端子を示す断面図である。
【図９】図８中のＩＸ−ＩＸ線に沿う断面図である。
【図１０】図８に示された雌端子の正面図である。
【図１１】図１０に示されたＸＩ−ＸＩ線に沿う断面を示す斜視図である。
【図１２】図８に示された雌端子が形成される板金を示す平面図である。
【図１３】図８に示された雌端子に挿入子が侵入する状態を示す説明図であり、（ａ）は雌端子と挿入子とを近づけた状態を示す断面図であり、（ｂ）は雌端子に挿入子が侵入した状態を示す断面図である。
【図１４】本発明の第３の実施形態に係る雌端子の断面を示す斜視図である。
【図１５】図１４中の雌端子のばね片を示す斜視図である。
【図１６】図１４に示されたばね片間に挿入子が挟まれた状態を示す断面図である。
【図１７】図１４に示された雌端子の変形例を示す斜視図である。
【図１８】本発明の第４の実施形態に係る雌端子のばね片間に挿入子が挟まれた状態を示す断面図である。
【図１９】本発明の第５の実施形態に係る雌端子の断面を示す斜視図である。
【図２０】図１９に示された雌端子に侵入した挿入子が振動する状態を示す断面図である。
【図２１】図１９に示された雌端子が形成される板金を示す平面図である。
【図２２】本発明の第６の実施形態に係る雌端子を一部断面で示す斜視図である。
【図２３】図２２に示された雌端子の正面図である。
【図２４】本発明の第７の実施形態に係る雌端子の説明図であり、（ａ）は雌端子の斜視図であり、（ｂ）は図２４（ａ）に示された雌端子の筒部を断面で示す斜視図である。
【図２５】図２４に示された雌端子の説明図であり、（ａ）は図２４（ａ）中のＸＸＶ−ＸＸＶ線に沿う断面図であり、（ｂ）は図２５（ａ）に示された雌端子に挿入子を挿入した状態を示す断面図である。
【図２６】図２４に示された雌端子が形成される板金を示す平面図である。
【図２７】図２６に示された板金にばね片を形成する過程を示す説明図であり、（ａ）は図２６に示された板金にスリットを形成した状態の斜視図であり、（ｂ）は図２７（ａ）に示されたスリットにパンチを近づけた状態の側面図であり、（ｃ）は図２７（ｂ）に示されたパンチを板金に押圧して湾曲片を形成した状態を示す側面図である。
【図２８】図２７（ａ）に示された板金の要部を示す平面図である。
【図２９】図２４に示された雌端子の湾曲片の変形例の説明図であり、（ａ）は図２４に示された雌端子の湾曲片の一つの変形例を示す平面図であり、（ｂ）は図２４に示された雌端子の湾曲片の他の変形例を示す平面図である。
【図３０】図２５に示された雌端子の変形例の説明図であり、（ａ）は図２５に示された雌端子の変形例の断面図であり、（ｂ）は図３０（ａ）に示された雌端子に挿入子を挿入した状態を示す断面図である。
【図３１】従来の雌端子に挿入子が侵入した状態を示す断面図である。
【符号の説明】
【０１９７】
１  コネクタ
３  雌端子
４  雄端子
５  挿入子
６  電線
７  電線接続部
８  電気接触部
９ｂ  底壁（壁）
１１  筒部
１２  電気的接続部
１３  天井壁（壁）
１６  基端部側支持部
１７  振動規制部
１８ａ，１８ｂ  ばね片
１９  導入部
２１  一端部
２３  他端部
２４  基端部側
２５  規制部材
２６  先端部側
２８  第二規制部材
３４  筒状部
３６ａ，３６ｂ  湾曲片
３８  中央部
３９  連結片
【図１】
2005251741.tif 000003
【図２】
2005251741.tif 000004
【図３】
2005251741.tif 000005
【図４】
2005251741.tif 000006
【図５】
2005251741.tif 000007
【図６】
2005251741.tif 000008
【図７】
2005251741.tif 000009
【図８】
2005251741.tif 000010
【図９】
2005251741.tif 000011
【図１０】
2005251741.tif 000012
【図１１】
2005251741.tif 000013
【図１２】
2005251741.tif 000014
【図１３】
2005251741.tif 000015
【図１４】
2005251741.tif 000016
【図１５】
2005251741.tif 000017
【図１６】
2005251741.tif 000018
【図１７】
2005251741.tif 000019
【図１８】
2005251741.tif 000020
【図１９】
2005251741.tif 000021
【図２０】
2005251741.tif 000022
【図２１】
2005251741.tif 000023
【図２２】
2005251741.tif 000024
【図２３】
2005251741.tif 000025
【図２４】
2005251741.tif 000026
【図２５】
2005251741.tif 000027
【図２６】
2005251741.tif 000028
【図２７】
2005251741.tif 000029
【図２８】
2005251741.tif 000030
【図２９】
2005251741.tif 000031
【図３０】
2005251741.tif 000032
【図３１】
2005251741.tif 000033